(57)【要約】【課題】情報を表す記録マークを光ディスクに対して高精度に記録又は再生できるようにする。【解決手段】本発明は、赤色光ビームＬｒ１が光ディスク１００に形成された反射透過膜１０４に合焦するように対物レンズ３８を駆動すると共に、焦点移動部であるリレーレンズ６０の可動レンズ６１を変位させることにより青色光ビームＬｂ１が照射されるべき目標深さδに照射する。さらに本発明は、反射透過膜１０４の一部を青色光反射領域１０４Ｂとして形成し、この青色光反射領域１０４Ｂで赤色光焦点Ｆｒ及び青色光焦点Ｆｂ１を合致させた位置を可動レンズ６１の基準位置とし、目標深さに応じてこの基準位置から任意の量だけ可動レンズ６１を変位させるようにする。【選択図】図１６
2008097702.tif 000002
【特許請求の範囲】
【請求項１】
光源から出射された第１の光及び当該第１の光とは波長の異なる第２の光を同一の対物レンズから光ディスクに対して照射することにより記録マークを記録又は再生する光ディスク装置において、
上記光ディスクに形成され、上記第１の光を反射して上記第２の光を透過させる反射透過層によって反射された第１の光に基づいて、上記第１の光が上記反射透過層に合焦するように上記対物レンズを駆動する対物レンズ駆動部と、
上記第２の光の光軸に沿って変位することにより上記第２の光の焦点を当該第２の光の光軸方向に移動させ、上記第２の光の焦点を上記光ディスクにおいて上記第２の光が照射されるべき目標深さに合わせる焦点移動部と、
上記第２の光の焦点を上記目標深さに移動させるように、基準位置から目標深さに応じた変位量だけ上記焦点移動部を変位させる焦点移動制御部と
を具え、
上記焦点移動制御部は、
上記反射透過層に部分的に形成され、上記第１の光及び上記第２の光を反射させる反射領域に上記第１の光が合焦している状態において、上記反射領域で反射された上記第２の光に基づいて上記第２の光を上記反射領域に合焦させ、当該合焦したときの上記焦点移動部の位置を上記基準位置に設定する
ことを特徴とする光ディスク装置。
【請求項２】
上記反射領域で反射された上記第２の光を受光して検出信号を生成する検出部と、
上記検出信号に基づいて上記第２の光の上記光軸方向へのずれ量を表すフォーカスエラー信号を生成するフォーカスエラー信号生成部と
を具え、
上記焦点移動制御部は、
上記フォーカスエラー信号に基づいて上記第２の光を上記反射領域に合焦させる
ことを特徴とする請求項１に記載の光ディスク装置。
【請求項３】
上記焦点移動部は、
その変位量が上記第２の光の焦点の移動量に対して比例関係を有するように設計されている
ことを特徴とする請求項１に記載の光ディスク装置。
【請求項４】
上記焦点移動部は、
所定の固定レンズとの組み合わせによりリレーレンズを構成する可動レンズである
ことを特徴とする請求項１に記載の光ディスク装置。
【請求項５】
上記第２の光と同一の光源から出射された第３の光を、上記第２の光の反対側からかつ上記第２の光の焦点と合致するように、上記第２の光を照射する対物レンズとは異なる他の対物レンズを介して照射することにより、上記光ディスクに定在波を微小ホログラムとして記録する
ことを特徴とする請求項１に記載の光ディスク装置。
【請求項６】
上記焦点移動制御部は、
上記光ディスク装置に上記光ディスクが装填される度に、上記基準位置を設定する
ことを特徴とする請求項１に記載の光ディスク装置。
【請求項７】
上記焦点移動制御部は、上記光ディスクに対して上記記録マークを記録又は再生する際、上記光ディスクに形成された上記反射領域を認識すると、新たに上記基準位置を設定する
ことを特徴とする請求項１に記載の光ディスク装置。
【請求項８】
光源から出射された第１の光及び当該第１の光とは波長の異なる第２の光を同一の対物レンズから光ディスクに対して照射することにより記録マークを記録又は再生する光ディスク装置において、
上記光ディスクに形成され、上記第１の光を反射して上記第２の光を所定の割合で反射及び透過させる反射透過層によって反射された第１の光に基づいて、上記第１の光が上記反射透過層に合焦するように上記対物レンズを駆動する対物レンズ駆動部と、
上記第２の光の光軸に沿って変位することにより上記第２の光の焦点を当該第２の光の光軸方向に移動させ、上記第２の光の焦点を上記光ディスクにおいて上記第２の光が照射されるべき目標深さに合わせる焦点移動部と、
上記第２の光の焦点を上記目標深さに移動させるように、基準位置から任意の量だけ上記焦点移動部を変位させる焦点移動制御部と
を具え、
上記焦点移動制御部は、
上記反射透過層に上記第１の光が合焦している状態において、上記反射透過層で反射された上記第２の光に基づいて上記第２の光を上記反射透過層に合焦させ、当該合焦したときの上記焦点移動部の位置を上記基準位置に設定する
ことを特徴とする光ディスク装置。
【請求項９】
光源から出射された第１の光及び当該第１の光とは波長の異なる第２の光を同一の対物レンズから光ディスクに対して照射することにより記録マークを記録又は再生する際の焦点位置制御方法において、
上記光ディスクに形成され、上記第１の光を反射すると共に上記第２の光を透過させる反射透過層で反射された第１の光に基づき、上記第１の光を上記反射透過層に合焦させるように駆動される上記対物レンズによって、上記反射透過層に部分的に形成された上記第１の光及び上記第２の光を反射させる反射領域に上記第１の光を合焦させる第１の光合焦ステップと、
上記反射領域に上記第１の光を合焦させた状態において上記反射領域で反射された上記第２の光に基づいて、上記第２の光における光軸方向への変位により上記第２の光の焦点を移動させる焦点移動部によって上記第２の光を上記反射領域に合焦させる第２の光合焦ステップと、
上記第２の光合焦ステップにおいて、上記第２の光が上記反射領域に合焦したときの上記焦点移動部の位置を基準位置に設定する基準位置設定ステップと、
上記反射領域に上記第１の光を合焦させた状態において、上記光ディスクにおいて上記第２の光が照射されるべき目標深さに応じた変位量だけ焦点移動部を上記基準位置から変位させることにより上記第２の光の焦点を上記第２の光の光軸方向に移動させ、上記目標深さに上記第２の光の焦点を合わせる焦点位置制御ステップと
を具えることを特徴とする焦点位置制御方法。
【請求項１０】
光源から出射された第１の光及び当該第１の光とは波長の異なる第２の光を同一の対物レンズから光ディスクに対して照射することにより記録マークを記録又は再生する際の焦点位置制御方法において、
上記光ディスクに形成された上記第１の光を反射して上記第２の光を所定の割合で透過及び反射させる反射透過層で反射された第１の光に基づいて上記対物レンズを駆動することにより、上記第１の光を上記反射透過層に合焦させる第１の光合焦ステップと、
上記反射透過層に上記第１の光を合焦させた状態において上記反射透過層で反射された上記第２の光に基づいて、変位により上記第２の光の焦点を移動させる焦点移動部によって上記第２の光を上記反射透過層に合焦させる第２の光合焦ステップと、
上記第２の光合焦ステップにおいて、上記第２の光が上記反射透過層に合焦したときの上記焦点移動部の位置を基準位置に設定する基準位置設定ステップと、
上記反射透過層に上記第１の光を合焦させた状態において、焦点移動制御部を上記基準位置から任意の量だけ移動させることにより上記第２の光の焦点を上記第２の光の光軸方向に移動させ、上記光ディスクにおいて上記第２の光が照射されるべき目標深さに上記第２の光の焦点を合わせる焦点位置制御ステップと
を具えることを特徴とする焦点位置制御方法。
【請求項１１】
同一の対物レンズを介して第１の光及び当該第１の光とは波長の異なる第２の光が照射される光ディスクにおいて、
上記第２の光を記録する記録層と、
上記第１の光を反射して上記第２の光を透過させる反射透過層と
を具え、
上記反射透過層は、
その一部に上記第１の光及び上記第２の光の両方を反射する反射領域が設けられている
ことを特徴とする光ディスク。
【請求項１２】
上記記録層は、
上記第２の光と同一光源から出射され、上記第２の光を照射する上記対物レンズとは異なる他の対物レンズを介して、上記第２の光の反対側から照射される第３の光と、上記第２の光とによる定在波によって微小ホログラムを形成する
ことを特徴とする請求項１１に記載の光ディスク。
【請求項１３】
上記反射層は、第２の光による記録マークが記録される際の記録位置を表すトラックが形成されている
ことを特徴とする請求項１１に記載の光ディスク。
【請求項１４】
上記反射層は、
螺旋状又は同心円状に案内溝が配置されることにより上記トラックが形成されている
ことを特徴とする請求項１１に記載の光ディスク。
【請求項１５】
上記反射層は、
螺旋状又は同心円状にピットが配置されることにより上記トラックが形成されている
ことを特徴とする請求項１１に記載の光ディスク。
【請求項１６】
同一の対物レンズを介して第１の光及び当該第１の光とは波長の異なる第２の光が照射される光ディスクにおいて、
上記第２の光を記録する記録層と、
上記第１の光を反射して上記第２の光を透過させる反射透過層と
を具え、
上記反射透過層は、
上記第２の光の焦点を上記反射透過層に合焦させるために、上記第２の光の一部を反射させる
ことを特徴とする光ディスク。
【発明の詳細な説明】
【技術分野】
【０００１】
本発明は光ディスク装置、焦点位置制御方法及び光ディスクに関し、例えば光ディスクにホログラムを記録する光ディスク装置に適用して好適なものである。
【背景技術】
【０００２】
従来、光ディスク装置においては、ＣＤ（Compact Disc）、ＤＶＤ（Digital Versatile Disc）及びＢｌｕ−ｒａｙ  Ｄｉｓｃ（登録商標、以下ＢＤと呼ぶ）等、光ディスクに対して光ビームを照射し、その反射光を読み取ることにより情報を再生するようになされたものが広く普及している。
【０００３】
またかかる従来の光ディスク装置では、当該光ディスクに対して光ビームを照射することにより、当該光ディスクの局所的な反射率等を変化させることにより、情報の記録を行うようになされている。
【０００４】
この光ディスクに関しては、当該光ディスク上に形成される光スポットの大きさは、およそλ／ＮＡ（λ：光ビームの波長、ＮＡ：開口数）で与えられ、解像度もこの値に比例することが知られている。例えば、直径１２０［ｍｍ］の光ディスクにおよそ２５［ＧＢ］のデータを記録し得るＢＤの詳細については、非特許文献１に示されている。
【０００５】
ところで光ディスクには、音楽コンテンツや映像コンテンツ等の各種コンテンツ、或いはコンピュータ用の各種データ等のような種々の情報が記録されるようになされている。特に近年では、映像の高精細化や音楽の高音質化等により情報量が増大し、また１枚の光ディスクに記録するコンテンツ数の増加が要求されているため、当該光ディスクのさらなる大容量化が要求されている。
【０００６】
そこで、１枚の光ディスク内で記録層を重ねることにより、１枚の光ディスクにおける記録容量を増加させる手法も提案されている（例えば、非特許文献２参照）。
【０００７】
一方、光ディスクに対する情報の記録手法として、ホログラムを用いた光ディスク装置も提案されている（例えば、非特許文献３参照）。
【０００８】
例えば図１に示すように、光ディスク装置１は、照射された光強度によって屈折率が変化するフォトポリマ等でなる光ディスク８中に、光学ヘッド７から一旦光ビームを集光し、その後光ディスク８の裏面側（図１では下側）に設けられた反射装置９を用いて、もう一度逆方向から光ビームを同一焦点位置に集光するようになされている。
【０００９】
光ディスク装置１は、レーザ２からレーザ光でなる光ビームを出射させ、音響光学変調器３によりその光波を変調し、コリメータレンズ４により平行光に変換する。続いて光ビームは、偏光ビームスプリッタ５を透過し、１／４波長板６により直線偏光から円偏光に変換されてから、光学ヘッド７へ入射される。
【００１０】
光学ヘッド７は、情報の記録及び再生を行い得るようになされており、光ビームをミラー７Ａにより反射し、対物レンズ７Ｂにより集光して、スピンドルモータ（図示せず）により回転されている光ディスク８に照射する。
【００１１】
このとき光ビームは、光ディスク８の内部で一旦合焦されてから、当該光ディスク８の裏面側に配置された反射装置９によって反射され、当該光ディスク８の裏面側から光ディスク８の内部における同一焦点に集光される。因みに反射装置９は、集光レンズ９Ａ、シャッタ９Ｂ、集光レンズ９Ｃ及び反射ミラー９Ｄにより構成されている。
【００１２】
この結果、図２（Ａ）に示すように、光ビームの焦点位置に定在波が生じ、全体的に２つの円錐体を互いの底面同士で貼り合わせたような形状でなる、光スポットサイズの小さなホログラムでなる記録マークＲＭを形成する。かくしてこの記録マークＲＭが情報として記録される。
【００１３】
光ディスク装置１は、光ディスク８の内部にこの記録マークＲＭを複数記録する際、当該光ディスク８を回転させ各記録マークＲＭを同心円状又は螺旋状のトラックに沿って配置することにより一つのマーク記録層を形成し、さらに光ビームの焦点位置を調整することにより、マーク記録層を複数層重ねるように各記録マークＲＭを記録することができる。
【００１４】
これにより光ディスク８は、内部に複数のマーク記録層を有する多層構造となる。例えば光ディスク８は、図２（Ｂ）に示すように、記録マークＲＭ間の距離（マークピッチ）ｐ１が１．５［μｍ］、トラック間の距離（トラックピッチ）ｐ２が２［μｍ］、層間の距離ｐ３が２２．５［μｍ］となっている。
【００１５】
また光ディスク装置１は、記録マークＲＭが記録されたディスク８から情報を再生する場合、反射装置９のシャッタ９Ｂを閉じ、光ディスク８の裏面側から光ビームを照射しないようにする。
【００１６】
このとき光ディスク装置１は、光学ヘッド７によって光ディスク８中の記録マークＲＭへ光ビームを照射し、当該記録マークＲＭから発生する再生光ビームを当該光学ヘッド７へ入射させる。この再生光ビームは、１／４波長板６により円偏光から直線偏光に変換され、偏光ビームスプリッタ５により反射される。さらに再生光ビームは、集光レンズ１０により集光され、ピンホール１１を介してフォトディテクタ１２へ照射される。
【００１７】
光ディスク装置１は、このときフォトディテクタ１２により再生光ビームの光量を検出し、その検出結果を基に情報を再生する。
【非特許文献１】Y.Kasami, Y.Kuroda,K.Seo, O.Kawakubo, S.Takagawa, M.Ono, and M.Yamada, Jpn. J. Appl. Phys., 39, 756(2000)
【非特許文献２】I.Ichimura et al, Technical Digest ofISOM’04, pp52, Oct.11-15, 2005, Jeju Korea
【非特許文献３】R. R. McLeod etal.,“Microholographic multilayer optical disk data storage,” Appl. Opt., Vol. 44, 2005, pp3197
【発明の開示】
【発明が解決しようとする課題】
【００１８】
ところで、従来のＣＤ、ＤＶＤ又はＢＤに対応した光ディスク装置では、回転される光ディスクに面ブレや偏心等が生じる可能性があるものの、光ビームの検出結果等を基にフォーカス制御やトラッキング制御等の各種制御を行うことにより、目標とするトラックに対して光ビームを正確に照射し得るようになされている。
【００１９】
しかしながら、図１に示した光ディスク装置１は、かかるフォーカス制御やトラッキング制御等を具体的に行い得るような構成を有していないため、光ディスクに生じ得る面ブレや偏心等に対応することができない。
【００２０】
すなわち光ディスク装置１は、光ディスク８中の所望の位置に光ビームの焦点を正確に合わせることができず、情報の記録や再生を正しく行い得ない可能性がある、という問題があった。
【００２１】
本発明は以上の点を考慮してなされたもので、情報を表す記録マークを光ディスクに対して高精度に記録又は再生し得る光ディスク装置、記録マークの記録又は再生に用いる光の焦点位置を高精度に制御し得る焦点位置制御方法、及び情報を表す記録マークを高精度に記録させ得る光ディスクを提案しようとするものである。
【課題を解決するための手段】
【００２２】
かかる課題を解決するため本発明の光ディスク装置においては、光源から出射された第１の光及び当該第１の光とは波長の異なる第２の光を同一の対物レンズから光ディスクに対して照射することにより記録マークを記録又は再生する光ディスク装置において、光ディスクに形成され、第１の光を反射して第２の光を透過させる反射透過層によって反射された第１の光に基づいて、第１の光が反射透過層に合焦するように対物レンズを駆動する対物レンズ駆動部と、第２の光の光軸に沿って変位することにより第２の光の焦点を当該第２の光の光軸方向に移動させ、第２の光の焦点を光ディスクにおいて第２の光が照射されるべき目標深さに合わせる焦点移動部と、第２の光の焦点を目標深さに移動させるように、基準位置から目標深さに応じた変位量だけ焦点移動部を変位させる焦点移動制御部とを設け、焦点移動制御部は、反射透過層に部分的に形成された第１の光及び第２の光を反射させる反射領域に第１の光が合焦している状態において、反射領域で反射された第２の光に基づいて第２の光を反射領域に合焦させ、当該合焦したときの焦点移動部の位置を基準位置に設定するようにした。
【００２３】
これにより本発明では、反射領域から反射される第２の光を用いて第２の光を高い精度で反射透過層に合焦させることができるため、この基準位置から目標深さに応じた変位量だけ焦点移動部を変位させることにより、高い精度で第２の光を目標深さに移動させることができる。
【００２４】
また本発明の光ディスク装置においては、光源から出射された第１の光及び当該第１の光とは波長の異なる第２の光を同一の対物レンズから光ディスクに対して照射することにより記録マークを記録又は再生する光ディスク装置において、光ディスクに形成され、第１の光を反射して第２の光を所定の割合で反射及び透過させる反射透過層によって反射された第１の光に基づいて、第１の光が反射透過層に合焦するように対物レンズを駆動する対物レンズ駆動部と、第２の光の光軸に沿って変位することにより第２の光の焦点を当該第２の光の光軸方向に移動させ、第２の光の焦点を光ディスクにおいて第２の光が照射されるべき目標深さに合わせる焦点移動部と、第２の光の焦点を目標深さに移動させるように、基準位置から任意の量だけ焦点移動部を変位させる焦点移動制御部とを設け、焦点移動制御部は、反射透過層に第１の光が合焦している状態において、反射透過層で反射された第２の光に基づいて第２の光を反射透過層に合焦させ、当該合焦したときの焦点移動部の位置を基準位置に設定する
ようにした。
【００２５】
これにより本発明では、反射透過膜から所定の割合で反射される第２の光を用いて第２の光を高い精度で反射透過層に合焦させることができるため、この基準位置から目標深さに応じた変位量だけ焦点移動部を変位させることにより、高い精度で第２の光を目標深さに移動させることができる。
【００２６】
さらに本発明の焦点位置制御方法においては、光源から出射された第１の光及び当該第１の光とは波長の異なる第２の光を同一の対物レンズから光ディスクに対して照射することにより記録マークを記録又は再生する際の焦点位置制御方法において、光ディスクに形成され、第１の光を反射すると共に第２の光を透過させる反射透過層で反射された第１の光に基づき、第１の光を反射透過層に合焦させるように駆動される対物レンズによって、反射透過層に部分的に形成された第１の光及び第２の光を反射させる反射領域に第１の光を合焦させる第１の光合焦ステップと、反射領域に第１の光を合焦させた状態において反射領域で反射された第２の光に基づいて、第２の光における光軸方向への変位により第２の光の焦点を移動させる焦点移動部によって第２の光を反射領域に合焦させる第２の光合焦ステップと、第２の光合焦ステップにおいて、第２の光が反射領域に合焦したときの焦点移動部の位置を基準位置に設定する基準位置設定ステップと、反射領域に第１の光を合焦させた状態において、光ディスクにおいて第２の光が照射されるべき目標深さに応じた変位量だけ焦点移動部を基準位置から変位させることにより第２の光の焦点を第２の光の光軸方向に移動させ、目標深さに第２の光の焦点を合わせる焦点位置制御ステップとようにした。
【００２７】
これにより本発明では、これにより本発明では、反射領域から反射される第２の光を用いて第２の光を高い精度で反射透過層に合焦させることができるため、この基準位置から目標深さに応じた変位量だけ焦点移動部を変位させることにより、高い精度で第２の光を目標深さに移動させることができる。
【００２８】
また本発明の光ディスクでは、同一の対物レンズを介して第１の光及び当該第１の光とは波長の異なる第２の光が照射される光ディスクにおいて、第２の光を記録する記録層と、第１の光を反射して第２の光を透過させる反射透過層とを設け、反射透過層は、その一部に第１の光及び第２の光の両方を反射する反射領域が設けられているようにした。
【００２９】
これにより本発明では、反射領域によって第２の光を反射することができるため、光ディスクを記録又は再生する光ディスク装置に反射された第２の光を使用させ、第２光を高い精度で反射透過層に合焦させることができる。
【発明の効果】
【００３０】
本発明によれば、反射領域から反射される第２の光を用いて第２の光を高い精度で反射透過層に合焦させることができるため、この基準位置から目標深さに応じた変位量だけ焦点移動部を変位させることにより、高い精度で第２の光を目標深さに移動させることができ、かくして情報を表す記録マークを光ディスクに対して高精度に記録又は再生し得る光ディスク装置を実現できる。
【００３１】
また本発明によれば、反射透過膜から所定の割合で反射される第２の光を用いて第２の光を高い精度で反射透過層に合焦させることができるため、この基準位置から目標深さに応じた変位量だけ焦点移動部を変位させることにより、高い精度で第２の光を目標深さに移動させることができ、かくしてホログラムの記録又は再生に用いる光の焦点位置を高精度に制御し得る光ディスク装置を実現できる。
【００３２】
本発明によれば、反射領域から反射される第２の光を用いて第２の光を高い精度で反射透過層に合焦させることができるため、この基準位置から目標深さに応じた変位量だけ焦点移動部を変位させることにより、高い精度で第２の光を目標深さに移動させることができ、かくして情報を表す記録マークを光ディスクに対して高精度に記録又は再生し得る焦点位置制御方法を実現できる。
【００３３】
本発明によれば、光ディスクを記録又は再生する光ディスク装置に反射領域によって反射された第２の光を使用させることができるため、第２光を高い精度で反射透過層に合焦させることができ、かくして情報を表すホログラムを高精度に記録させ得る光ディスクを実現できる。
【発明を実施するための最良の形態】
【００３４】
以下、図面について、本発明の一実施の形態を詳述する。
【００３５】
（１）光ディスクの構成
まず、本発明において情報記録媒体として用いられる光ディスク１００について説明する。図３（Ａ）に外観図を示すように、光ディスク１００は、全体として従来のＣＤ、ＤＶＤ及びＢＤと同様に直径約１２０［ｍｍ］の円盤状に構成されており、中央部分に孔部１００Ｈが形成されている。
【００３６】
また光ディスク１００は、図３（Ｂ）に断面図を示すように、情報を記録するための記録層１０１を中心に有しており、基板１０２及び１０３により当該記録層１０１を両面から挟むように構成されている。
【００３７】
因みに記録層１０１の厚さｔ１は約０．３［ｍｍ］、基板１０２及び１０３の厚さｔ２及びｔ３はいずれも約０．６［ｍｍ］となるようになされている。
【００３８】
基板１０２及び１０３は、例えばポリカーボネイトやガラス等の材料により構成されており、いずれも一面から入射される光をその反対面へ高い透過率で透過させるようになされている。また基板１０２及び１０３は、ある程度の強度を有しており、記録層１０１を保護する役割も担うようになされている。なお基板１０２及び１０３の表面については、無反射コーティングにより不要な反射が防止されるようになされていても良い。
【００３９】
記録層１０１は、光ディスク８（図１）と同様、照射された光強度によって屈折率が変化するフォトポリマ等でなり、波長４０５［ｎｍ］でなる青色光ビームに反応するようになされている。図３（Ｂ）に示したように、比較的強い強度でなる２本の青色光ビームＬｂ１及びＬｂ２が記録層１０１内において干渉した場合、当該記録層１０１には定在波が生成されることになり、図２（Ａ）に示したようなホログラムとしての性質を有する干渉パターンが形成される。
【００４０】
また光ディスク１００は、記録層１０１と基板１０２との境界面に反射層としての反射透過膜１０４を有している。反射透過膜１０４は、誘電体多層膜等でなり、再生処理及び記録処理に使用される青色透過光領域１０４Ａ（詳しくは後述する）では、波長４０５［ｎｍ］でなる青色光ビームＬｂ１、Ｌｂ２及び青色再生光ビームＬｂ３を透過すると共に、波長６６０［ｎｍ］でなる赤色光ビームを反射するといった波長選択性を有している。
【００４１】
また反射透過膜１０４は、トラッキングサーボ用の案内溝を形成しており、具体的には、一般的なＢＤ−Ｒ（Recordable）ディスク等と同様のランド及びグルーブにより螺旋状のトラックを形成している。このトラックには、所定の記録単位ごとに一連の番号でなるアドレスが付されており、情報を記録又は再生するトラックを当該アドレスにより特定し得るようになされている。
【００４２】
なお反射透過膜１０４（すなわち記録層１０１と基板１０２との境界面）には、案内溝に代えてピット等が形成され、或いは案内溝とピット等とが組み合わされていても良い。
【００４３】
この反射透過膜１０４は、基板１０２側から赤色光ビームＬｒ１が照射された場合、これを当該基板１０２側へ反射する。以下、このとき反射された光ビームを赤色反射光ビームＬｒ２と呼ぶ。
【００４４】
この赤色反射光ビームＬｒ２は、例えば光ディスク装置において、目標とするトラック（以下目標トラックと呼ぶ）に対して、所定の対物レンズＯＬ１により集光された赤色光ビームＬｒ１の赤色光焦点Ｆｒを合わせるための、当該対物レンズＯＬ１の位置制御（すなわちフォーカス制御及びトラッキング制御）に用いられることが想定されている。
【００４５】
因みに以下では、光ディスク１００の基板１０２側の面を案内面１００Ａと呼び、当該光ディスク１００の基板１０３側の面を記録光照射面１００Ｂと呼ぶ。
【００４６】
実際上、光ディスク１００に情報が記録されるとき、図３（Ｂ）に示したように、位置制御された対物レンズＯＬ１により赤色光ビームＬｒ１が集光され、反射透過膜１０４の目標とするトラック（以下、これを目標トラックと呼ぶ）に合焦される。
【００４７】
また、当該赤色光ビームＬｒ１と光軸Ｌｘを共有し当該対物レンズＯＬ１により集光された青色光ビームＬｂ１が、基板１０２及び反射透過膜１０４を透過し、記録層１０１内における当該所望トラックの裏側（すなわち基板１０２側）に相当する位置に合焦される。このとき青色光ビームＬｂ１の青色光焦点Ｆｂ１は、対物レンズＯＬ１を基準として、共通の光軸Ｌｘ上における赤色光焦点Ｆｒよりも遠方に位置することになる。
【００４８】
さらに、青色光ビームＬｂ１と同一波長でなり光軸Ｌｘを共有する青色光ビームＬｂ２が、当該青色光ビームＬｂ１の反対側（すなわち基板１０３側）から、対物レンズＯＬ１と同等の光学特性を有する対物レンズＯＬ２により集光され、照射されるようになされている。このとき当該青色光ビームＬｂ２の青色光焦点Ｆｂ２は、当該対物レンズＯＬ２が位置制御されることにより、青色光ビームＬｂ１の青色光焦点Ｆｂ１と同一の位置となるようになされている。
【００４９】
この結果、光ディスク１００には、記録層１０１内における目標トラックの裏側に相当する青色光焦点Ｆｂ１及びＦｂ２の位置に、比較的小さい干渉パターンでなる記録マークＲＭが記録される。
【００５０】
このとき記録層１０１内には、いずれも収束光でなる青色光ビームＬｂ１及びＬｂ２が重なり、且つ所定強度以上となった部分に記録マークＲＭが形成される。このため記録マークＲＭは、図２（Ａ）に示したように、全体的に２つの円錐体を互いの底面同士で貼り合わせたような形状となり、中央部（底面同士を貼り合わせた部分）が僅かにくびれている。
【００５１】
因みに、記録マークＲＭに関して、中央部におけるくびれ部分の直径ＲＭｒについては、青色光ビームＬｂ１及びＬｂ２の波長をλ［ｍ］、対物レンズＯＬ１及びＯＬ２の開口数をＮＡとすると、次に示す（１）式により求められる。
【００５２】
【数１】
2008097702.tif 000003
【００５３】
また記録マークＲＭの高さＲＭｈに関しては、対物レンズＯＬ１及びＯＬ２の屈折率をｎとすると、次に示す（２）式により求められる。
【００５４】
【数２】
2008097702.tif 000004
【００５５】
例えば、波長λを４０５［ｎｍ］、開口数ＮＡを０．５、屈折率ｎを１．５とすると、（１）式より直径ＲＭｒ＝０．９７［μｍ］、（２）式より高さＲＭｈ＝９．７２［μｍ］となる。
【００５６】
さらに光ディスク１００は、記録層１０１の厚さｔ１（＝０．３［ｍｍ］）が記録マークＲＭの高さＲＭｈよりも充分に大きくなるよう設計されている。このため光ディスク１００は、記録層１０１内における記録反射膜１０４からの距離（以下、これを深さと呼ぶ）が切り換えられながら記録マークＲＭが記録されることにより、図２（Ｂ）に示したような、複数のマーク記録層を当該光ディスク１００の厚さ方向に重ねた多層記録を行い得るようになされている。
【００５７】
この場合、光ディスク１００の記録層１０１内において、青色光ビームＬｂ１及びＬｂ２の青色光焦点Ｆｂ１及びＦｂ２の深さが調整されることにより、記録マークＲＭの深さが変更されることになる。例えば光ディスク１００は、記録マークＲＭ同士の相互干渉等を考慮してマーク記録層同士の距離ｐ３が約１５［μｍ］に設定されれば、記録層１０１内に約２０層のマーク記録層を形成することができる。なお距離ｐ３については、約１５［μｍ］とする以外にも、記録マークＲＭ同士の相互干渉等を考慮した上で他の種々の値としても良い。
【００５８】
一方、光ディスク１００は、情報が再生されるとき、当該情報を記録したときと同様に、対物レンズＯＬ１により集光された赤色光ビームＬｒ１が反射透過膜１０４の目標トラックに合焦されるよう、当該対物レンズＯＬ１が位置制御されるようになされている。
【００５９】
さらに光ディスク１００は、同一の対物レンズＯＬ１を介し基板１０２及び反射透過膜１０４を透過した青色光ビームＬｂ１の青色光焦点Ｆｂ１が、記録層１０１内における当該目標トラックの「裏側」に相当し、かつ目標深さとなる位置（以下、これを目標マーク位置と呼ぶ）に合焦されるようになされている。
【００６０】
このとき青色光焦点Ｆｂ１の位置に記録されている記録マークＲＭは、ホログラムとしての性質により、当該目標マーク位置に記録されている記録マークＲＭから、青色再生光ビームＬｂ３を発生する。この青色再生光ビームＬｂ３は、記録マークＲＭの記録時に照射された青色光ビームＬｂ２と同等の光学特性を有しており、当該青色光ビームＬｂ２と同じ方向へ、すなわち記録層１０１内から基板１０２側へ発散しながら進むことになる。
【００６１】
このように光ディスク１００は、情報が記録される場合、位置制御用の赤色光ビームＬｒ１、情報記録用の青色光ビームＬｂ１及びＬｂ２が用いられることにより、記録層１０１内において青色光焦点Ｆｂ１及びＦｂ２が重なる位置、すなわち反射透過膜１０４における目標トラックの裏側となり且つ目標深さとなる目標マーク位置に、当該情報として記録マークＲＭが形成されるようになされている。
【００６２】
また光ディスク１００は、記録済みの情報が再生される場合、位置制御用の赤色光ビームＬｒ１及び情報再生用の青色光ビームＬｂ１が用いられることにより、青色光焦点Ｆｂ１の位置、すなわち目標マーク位置に記録されている記録マークＲＭから、青色再生光ビームＬｂ３を発生させるようになされている。
【００６３】
（２）光ディスク装置の構成
次に、上述した光ディスク１００に対応した光ディスク装置２０について説明する。光ディスク装置２０は、図４に示すように、制御部２１により全体を統括制御するようになされている。
【００６４】
制御部２１は、図示しないＣＰＵ（Central Processing Unit）を中心に構成されており、図示しないＲＯＭ（Read Only Memory）から基本プログラムや情報記録プログラム、青色光焦点深さ調整プログラム等の各種プログラムを読み出し、これらを図示しないＲＡＭ（Random Access Memory）に展開することにより、情報記録処理等の各種処理を実行するようになされている。
【００６５】
例えば制御部２１は、光ディスク１００が装填された状態で、図示しない外部機器等から情報記録命令、記録情報及び記録アドレス情報を受け付けると、駆動命令及び記録アドレス情報を駆動制御部２２へ供給すると共に、記録情報を信号処理部２３へ供給する。因みに記録アドレス情報は、光ディスク１００の記録層１０１に付されたアドレスのうち、記録情報を記録すべきアドレスを示す情報である。
【００６６】
駆動制御部２２は、駆動命令に従い、スピンドルモータ２４を駆動制御することにより光ディスク１００を所定の回転速度で回転させると共に、スレッドモータ２５を駆動制御することにより、光ピックアップ２６を移動軸２５Ａ及び２５Ｂに沿って光ディスク１００の径方向（すなわち内周方向又は外周方向）における記録アドレス情報に対応した位置へ移動させる。
【００６７】
信号処理部２３は、供給された記録情報に対して所定の符号化処理や変調処理等の各種信号処理を施すことにより記録信号を生成し、これを光ピックアップ２６へ供給する。
【００６８】
光ピックアップ２６は、図５に示すように、側面略コ字状に構成されており、図３（Ｂ）に示したように、光ディスク１００に対して両面から焦点を合わせて光ビームを照射し得るようになされている。
【００６９】
光ピックアップ２６は、駆動制御部２２（図４）の制御に基づいてフォーカス制御及びトラッキング制御を行うことにより、光ディスク１００の記録層１０１における記録アドレス情報により示されるトラック（以下、これを目標トラックと呼ぶ）に光ビームの照射位置を合わせ、信号処理部２３からの記録信号に応じた記録マークＲＭを記録するようになされている（詳しくは後述する）。
【００７０】
また制御部２１は、例えば外部機器（図示せず）から情報再生命令及び当該記録情報のアドレスを示す再生アドレス情報を受け付けると、駆動制御部２２に対して駆動命令を供給すると共に、再生処理命令を信号処理部２３へ供給する。
【００７１】
駆動制御部２２は、情報を記録する場合と同様、スピンドルモータ２４を駆動制御することにより光ディスク１００を所定の回転速度で回転させると共に、スレッドモータ２５を駆動制御することにより光ピックアップ２６を再生アドレス情報に対応した位置へ移動させる。
【００７２】
光ピックアップ２６は、駆動制御部２２（図４）の制御に基づいてフォーカス制御及びトラッキング制御を行うことにより、光ディスク１００の記録層１０１における再生アドレス情報により示されるトラック（すなわち目標トラック）に光ビームの照射位置を合わせ、所定光量の光ビームを照射する。このとき光ピックアップ２６は、光ディスク１００における記録層１０１の記録マークＲＭから発生される再生光ビームを検出し、その光量に応じた検出信号を信号処理部２３へ供給するようになされている（詳しくは後述する）。
【００７３】
信号処理部２３は、供給された検出信号に対して所定の復調処理や復号化処理等の各種信号処理を施すことにより再生情報を生成し、この再生情報を制御部２１へ供給する。これに応じて制御部２１は、この再生情報を外部機器（図示せず）へ送出するようになされている。
【００７４】
このように光ディスク装置２０は、制御部２１によって光ピックアップ２６を制御することにより、光ディスク１００の記録層１０１における目標トラックに情報を記録し、また当該目標トラックから情報を再生するようになされている。
【００７５】
（３）光ピックアップの構成
次に、光ピックアップ２６の構成について説明する。図６に模式的に示すように、光ピックアップ２６は、多数の光学部品が設けられており、大きく分けて案内面位置制御光学系３０、案内面情報光学系５０及び記録光照射面光学系７０により構成されている。
【００７６】
（３−１）案内面赤色光学系の構成
案内面位置制御光学系３０は、光ディスク１００の案内面１００Ａに対して赤色光ビームＬｒ１を照射し、当該光ディスク１００により当該赤色光ビームＬｒ１が反射されてなる赤色反射光ビームＬｒ２を受光するようになされている。
【００７７】
図７において案内面位置制御光学系３０のレーザダイオード３１は、波長約６６０［ｎｍ］の赤色レーザ光を発射し得るようになされている。実際上レーザダイオード３１は、制御部２１（図４）の制御に基づいて発散光でなる所定光量の赤色光ビームＬｒ１を発射し、コリメータレンズ３２へ入射させる。コリメータレンズ３２は、赤色光ビームＬｒ１を発散光から平行光に変換しスリット３３を介して無偏光ビームスプリッタ３４へ入射させる。
【００７８】
無偏光ビームスプリッタ３４は、赤色光ビームＬｒ１を反射透過面３４Ａにおいて約５０％の割合で透過し、補正レンズ３５へ入射させる。補正レンズ３５及び３６は、赤色光ビームＬｒ１を一度発散させてから収束させ、ダイクロックプリズム３７へ入射させる。
【００７９】
ダイクロックプリズム３７の反射透過面３７Ｓは、光ビームの波長により透過率及び反射率が異なる、いわゆる波長選択性を有しており、赤色光ビームをほぼ１００％の割合で透過し、青色光ビームをほぼ１００％の割合で反射するようになされている。このためダイクロックプリズム３７は、当該反射透過面３７Ｓにおいて赤色光ビームＬｒ１を透過し、対物レンズ３８へ入射させる。
【００８０】
対物レンズ３８は、赤色光ビームＬｒ１を集光し、光ディスク１００の案内面１００Ａへ向けて照射する。このとき赤色光ビームＬｒ１は、図３（Ｂ）に示したように、基板１０２を透過し反射透過膜１０４において反射され、赤色光ビームＬｒ１と反対方向へ向かう赤色反射光ビームＬｒ２となる。
【００８１】
因みに対物レンズ３８は、青色光ビームＬｂ１に最適化されて設計されており、赤色光ビームＬｒ１に関しては、スリット３３、補正レンズ３５及び３６との光学的な距離等の関係により、開口数（ＮＡ：Numerical Aperture）が０．４１の集光レンズとして作用することになる。
【００８２】
この後、赤色反射光ビームＬｒ２は、対物レンズ３８、ダイクロックプリズム３７、補正レンズ３６及び３５を順次透過して平行光にされた後、無偏光ビームスプリッタ３４へ入射される。
【００８３】
無偏光ビームスプリッタ３４は、赤色反射光ビームＬｒ２を約５０％の割合で反射することによりミラー４０へ照射し、当該ミラー４０により当該赤色反射光ビームＬｒ２を再度反射させた後、集光レンズ４１へ入射させる。
【００８４】
集光レンズ４１は、赤色反射光ビームＬｒ２を収束させ、シリンドリカルレンズ４２により非点収差を持たせた上で当該赤色反射光ビームＬｒ２をフォトディテクタ４３へ照射する。
【００８５】
ところで光ディスク装置２０では、回転する光ディスク１００における面ブレ等が発生する可能性があるため、案内面位置制御光学系３０に対する目標トラックの相対的な位置が変動する可能性がある。
【００８６】
このため、案内面位置制御光学系３０において赤色光ビームＬｒ１の赤色光焦点Ｆｒ（図３（Ｂ））を目標トラックに追従させるには、当該赤色光焦点Ｆｒを光ディスク１００に対する近接方向又は離隔方向であるフォーカス方向及び光ディスク１００の内周側方向又は外周側方向であるトラッキング方向へ移動させる必要がある。
【００８７】
そこで対物レンズ３８は、２軸アクチュエータ３８Ａにより、フォーカス方向及びトラッキング方向の２軸方向へ駆動され得るようになされている。
【００８８】
また案内面位置制御光学系３０（図７）では、対物レンズ３８により赤色光ビームＬｒ１が集光され光ディスク１００の反射透過膜１０４へ照射されるときの合焦状態が、集光レンズ４１により赤色反射光ビームＬｒ２が集光されフォトディテクタ４３に照射されるときの合焦状態に反映されるよう、各種光学部品の光学的位置が調整されている。
【００８９】
フォトディテクタ４３は、図８に示すように、赤色反射光ビームＬｒ２が照射される面上に、格子状に分割された４つの検出領域４３Ａ、４３Ｂ、４３Ｃ及び４３Ｄを有している。因みに矢印ａ１により示される方向（図中の縦方向）は、赤色光ビームＬｒ１が反射透過膜１０４（図３）に照射されるときの、トラックの走行方向に対応している。
【００９０】
フォトディテクタ４３は、検出領域４３Ａ、４３Ｂ、４３Ｃ及び４３Ｄにより赤色反射光ビームＬｒ２の一部をそれぞれ検出し、このとき検出した光量に応じて検出信号ＳＤＡｒ、ＳＤＢｒ、ＳＤＣｒ及びＳＤＤｒをそれぞれ生成して、これらを信号処理部２３（図４）へ送出する。
【００９１】
信号処理部２３は、いわゆる非点収差法によるフォーカス制御を行うようになされており、次に示す（３）式に従ってフォーカスエラー信号ＳＦＥｒを算出し、これを駆動制御部２２へ供給する。
【００９２】
【数３】
2008097702.tif 000005
【００９３】
このフォーカスエラー信号ＳＦＥｒは、赤色光ビームＬｒ１の赤色光焦点Ｆｒと光ディスク１００の反射透過膜１０４とのずれ量を表すことになる。
【００９４】
また信号処理部２３は、いわゆるプッシュプル法によるトラッキング制御を行うようになされており、次に示す（４）式に従ってトラッキングエラー信号ＳＴＥｒを算出し、これを駆動制御部２２へ供給する。
【００９５】
【数４】
2008097702.tif 000006
【００９６】
このトラッキングエラー信号ＳＴＥｒは、赤色光ビームＬｒ１の赤色光焦点Ｆｒと光ディスク１００の反射透過膜１０４における目標トラックとのずれ量を表すことになる。
【００９７】
駆動制御部２２は、フォーカスエラー信号ＳＦＥｒを基にフォーカス駆動信号ＳＦＤｒを生成し、当該フォーカス駆動信号ＳＦＤｒを２軸アクチュエータ３８Ａへ供給することにより、赤色光ビームＬｒ１が光ディスク１００の反射透過膜１０４に合焦するよう、対物レンズ３８をフィードバック制御（すなわちフォーカス制御）する。
【００９８】
また駆動制御部２２は、トラッキングエラー信号ＳＴＥｒを基にトラッキング駆動信号ＳＴＤｒを生成し、当該トラッキング駆動信号ＳＴＤｒを２軸アクチュエータ３８Ａへ供給することにより、赤色光ビームＬｒ１が光ディスク１００の反射透過膜１０４における目標トラックに合焦するよう、対物レンズ３８をフィードバック制御（すなわちトラッキング制御）する。
【００９９】
このように案内面位置制御光学系３０は、赤色光ビームＬｒ１を光ディスク１００の反射透過膜１０４に照射し、その反射光である赤色反射光ビームＬｒ２の受光結果を信号処理部２３へ供給するようになされている。これに応じて駆動制御部２２は、当該赤色光ビームＬｒ１を当該反射透過膜１０４の目標トラックに合焦させるよう、対物レンズ３８のフォーカス制御及びトラッキング制御を行うようになされている。
【０１００】
（３−２）案内面青色光学系の構成
案内面情報光学系５０は、光ディスク１００の案内面１００Ａに対して青色光ビームＬｂ１を照射するようになされており、また当該光ディスク１００から入射される青色光ビームＬｂ２又は青色再生光ビームＬｂ３を受光するようになされている。
【０１０１】
（３−２−１）青色光ビームの照射
図９において案内面情報光学系５０のレーザダイオード５１は、波長約４０５［ｎｍ］の青色レーザ光を発射し得るようになされている。実際上レーザダイオード５１は、制御部２１（図４）の制御に基づいて発散光でなる青色光ビームＬｂ０を発射し、コリメータレンズ５２へ入射させる。コリメータレンズ５２は、青色光ビームＬｂ０を発散光から平行光に変換し、１／２波長板５３へ入射させる。
【０１０２】
このとき青色光ビームＬｂ０は、１／２波長板５３により偏光方向が所定角度回転され、アナモプリズム５４により強度分布が成形された後、偏光ビームスプリッタ５５の面５５Ａに入射される。
【０１０３】
偏光ビームスプリッタ５５は、反射透過面５５Ｓにおいて、光ビームの偏光方向により異なる割合で当該光ビームを反射又は透過するようになされている。例えば反射透過面５５Ｓは、ｐ偏光の光ビームを約５０％の割合で反射すると共に残りの５０％を透過し、ｓ偏光の光ビームを約１００％の割合で透過するようになされている。
【０１０４】
実際上、偏光ビームスプリッタ５５は、反射透過面５５Ｓにより、ｐ偏光でなる青色光ビームＬｂ０を約５０％の割合で反射し、面５５Ｂから１／４波長板５６へ入射させると共に、残りの５０％を透過し、面５５Ｄからシャッタ７１へ入射させる。以下では、反射透過面５５Ｓにより反射された青色光ビームを青色光ビームＬｂ１、反射透過面５５Ｓを透過した青色光ビームを青色光ビームＬｂ２と呼ぶ。
【０１０５】
１／４波長板５６は、青色光ビームＬｂ１を直線偏光から円偏光に変換して可動ミラー５７へ照射し、また当該可動ミラー５７により反射され青色光ビームＬｂ１を円偏光から直線偏光に変換し、再度偏光ビームスプリッタ５５の面５５Ｂへ入射させる。
【０１０６】
このとき青色光ビームＬｂ１は、例えば１／４波長板５６によりｐ偏光から左円偏光に変換され、可動ミラー５７により反射された際に左円偏光から右円偏光に変換された後、再度１／４波長板５６により右円偏光からｓ偏光に変換される。すなわち青色光ビームＬｂ１は、面５５Ｂから出射されたときと可動ミラー５７により反射された後に当該面５５Ｂに入射されるときとで、互いの偏光方向が異なることになる。
【０１０７】
偏光ビームスプリッタ５５は、面５５Ｂから入射された青色光ビームＬｂ１の偏光方向（ｓ偏光）に応じて、反射透過面５５Ｓにより当該青色光ビームＬｂ１をそのまま透過させ、面５５Ｃから偏光ビームスプリッタ５８へ入射させるようになされている。
【０１０８】
この結果、案内面情報光学系５０は、偏光ビームスプリッタ５５、１／４波長板５６及び可動ミラー５７により、青色光ビームＬｂ１の光路長を引き延ばすことになる。
【０１０９】
偏光ビームスプリッタ５８の反射透過面５５Ｓは、例えばｐ偏光の光ビームを約１００％の割合で反射し、ｓ偏光の光ビームを約１００％の割合で透過するようになされている。実際上、偏光ビームスプリッタ５８は、反射透過面５８Ｓにおいて青色光ビームＬｂ１をそのまま透過させ、１／４波長板５９により直線偏光（ｓ偏光）から円偏光（右円偏光）に変換させた上で、リレーレンズ６０へ入射させる。
【０１１０】
リレーレンズ６０は、可動レンズ６１により青色光ビームＬｂ１を平行光から収束光に変換し、収束後に発散光となった当該青色光ビームＬｂ１を固定レンズ６２により再度収束光に変換し、ダイクロックプリズム３７へ入射させる。
【０１１１】
ここで可動レンズ６１は、アクチュエータ６１Ａにより青色光ビームＬｂ１の光軸方向に移動されるようになされている。実際上、リレーレンズ６０は、制御部２１（図４）の制御に基づきアクチュエータ６１Ａによって可動レンズ６１を移動させることにより、固定レンズ６２から出射される青色光ビームＬｂ１の収束状態を変化させ得るようになされている。
【０１１２】
ダイクロックプリズム３７は、青色光ビームＬｂ１の波長に応じて、反射透過面３７Ｓにより当該青色光ビームＬｂ１を反射し、これを対物レンズ３８へ入射させる。因みに青色光ビームＬｂ１は、反射透過面３７Ｓにおいて反射されるときに円偏光における偏光方向が反転され、例えば右円偏光から左円偏光に変換される。
【０１１３】
対物レンズ３８は、青色光ビームＬｂ１を集光し、光ディスク１００の案内面１００Ａへ照射する。因みに対物レンズ３８は、青色光ビームＬｂ１に関しては、リレーレンズ６０との光学的な距離等の関係により、開口数（ＮＡ）が０．５の集光レンズとして作用することになる。
【０１１４】
このとき青色光ビームＬｂ１は、図３（Ｂ）に示したように、基板１０２及び反射透過膜１０４を透過し、記録層１０１内に合焦する。ここで当該青色光ビームＬｂ１の青色光焦点Ｆｂ１の位置は、リレーレンズ６０の固定レンズ６２から出射される際の収束状態により定められることになる。すなわち青色光焦点Ｆｂ１は、可動レンズ６１の位置に応じて記録層１０１内の案内面１００Ａ側又は記録光照射面１００Ｂ側へ移動することになる。
【０１１５】
実際上、案内面情報光学系５０は、制御部２１（図４）により可動レンズ６１の位置が制御されることにより、光ディスク１００の記録層１０１内における青色光ビームＬｂ１の青色光焦点Ｆｂ１（図３（Ｂ））の深さｄ１（すなわち反射透過膜１０４からの距離）を調整するようになされている。なお、この青色光ビームＬｂ１の青色光焦点Ｆｂ１に対する調整方法については、後述する。
【０１１６】
青色光ビームＬｂ１は、青色光焦点Ｆｂ１に収束した後に発散光となり、記録層１０１及び基板１０３を透過し、記録光照射面１００Ｂから出射されて、対物レンズ７９へ入射される（詳しくは後述する）。
【０１１７】
このように案内面情報光学系５０は、青色光ビームＬｂ１を光ディスク１００の案内面１００Ａ側から照射して記録層１０１内に当該青色光ビームＬｂ１の青色光焦点Ｆｂ１を位置させ、さらにリレーレンズ６０における可動レンズ６１の位置に応じて、当該青色光焦点Ｆｂ１の深さｄ１を調整するようになされている。
【０１１８】
（３−２−２）青色光ビームの受光
ところで光ディスク１００は、記録光照射面光学系７０の対物レンズ７９から記録光照射面１００Ｂへ照射される青色光ビームＬｂ２を透過し、案内面１００Ａから発散光として出射するようになされている（詳しくは後述する）。因みに青色光ビームＬｂ２は、円偏光（例えば右円偏光）となるようになされている。
【０１１９】
このとき案内面情報光学系５０では、図１０に示すように、青色光ビームＬｂ２が対物レンズ３８によりある程度収束された後、ダイクロックプリズム３７により反射され、リレーレンズ６０へ入射される。因みに青色光ビームＬｂ２は、反射透過面３７Ｓにおいて反射される際、円偏光における偏光方向が反転され、例えば右円偏光から左円偏光に変換される。
【０１２０】
続いて青色光ビームＬｂ２は、リレーレンズ６０の固定レンズ６２及び可動レンズ６１によって平行光に変換され、さらに１／４波長板５９により円偏光（左円偏光）から直線偏光（ｐ偏光）に変換された上で、偏光ビームスプリッタ５８へ入射される。
【０１２１】
偏光ビームスプリッタ５８は、青色光ビームＬｂ２の偏光方向に応じて当該青色光ビームＬｂ２を反射し、集光レンズ６３へ入射させる。集光レンズ６３は、青色光ビームＬｂ２を集光し、非点収差を発生させるシリンドリカルレンズ６４を介してフォトディテクタ６５へ照射させる。
【０１２２】
因みに、案内面情報光学系５０内の各光学部品は、青色光ビームＬｂ２がフォトディテクタ６５に合焦するよう配置されている。
【０１２３】
フォトディテクタ６５は、青色光ビームＬｂ２の光量を検出し、このとき検出した光量に応じて再生検出信号ＳＤｐを生成し、これを信号処理部２３（図４）へ供給する。
【０１２４】
但し、このとき当該フォトディテクタ６５において青色光ビームＬｂ２の光量に応じて生成される再生検出信号ＳＤｐには、特に用途がない。このため信号処理部２３（図４）は、当該再生検出信号ＳＤｐが供給されるものの、特に信号処理を行わないようになされている。
【０１２５】
一方、光ディスク１００は、記録層１０１に記録マークＲＭが記録されていた場合、上述したように、青色光ビームＬｂ１の青色光焦点Ｆｂ１が当該記録マークＲＭに合焦されると、ホログラムとしての性質により、当該記録マークＲＭから青色再生光ビームＬｂ３を発生することになる。
【０１２６】
この青色再生光ビームＬｂ３は、ホログラムの原理上、当該記録マークＲＭが記録された際に青色光ビームＬｂ１の他に照射されていた光ビーム、すなわち青色光ビームＬｂ２を再現したものとなる。従って青色再生光ビームＬｂ３は、案内面情報光学系５０内において青色光ビームＬｂ２と同様の光路を経ることにより、最終的にフォトディテクタ６５へ照射される。
【０１２７】
ここで案内面情報光学系５０内の各光学部品は、上述したように、青色光ビームＬｂ２がフォトディテクタ６５に合焦するよう配置されている。このため青色再生光ビームＬｂ３は、当該青色光ビームＬｂ２と同様に当該フォトディテクタ６５に合焦する。
【０１２８】
フォトディテクタ６５は、青色光ビームＬｂ３の光量を検出し、このとき検出した光量に応じて再生検出信号ＳＤｐを生成し、これを信号処理部２３（図４）へ供給する。
【０１２９】
この場合、再生検出信号ＳＤｐは、光ディスク１００に記録されている情報を表すものとなる。このため信号処理部２３は、再生検出信号ＳＤｐに対して所定の復調処理や復号化処理等を施すことにより再生情報を生成し、この再生情報を制御部２１へ供給するようになされている。
【０１３０】
このように案内面情報光学系５０は、光ディスク１００の案内面１００Ａから対物レンズ３８へ入射される青色光ビームＬｂ２又は青色再生光ビームＬｂ３を受光し、その受光結果を信号処理部２３へ供給するようになされている。
【０１３１】
（３−３）記録光照射面光学系の構成
記録光照射面光学系７０（図６）は、光ディスク１００の記録光照射面１００Ｂに対して青色光ビームＬｂ２を照射するようになされており、また案内面情報光学系５０から照射され光ディスク１００を透過した青色光ビームＬｂ１を受光するようになされている。
【０１３２】
（３−３−１）青色光ビームの照射
図１０において案内面情報光学系５０の偏光ビームスプリッタ５５は、上述したように、反射透過面５５Ｓにおいてｐ偏光でなる青色光ビームＬｂ０を約５０％の割合で透過し、これを青色光ビームＬｂ２として面５５Ｄからシャッタ７１へ入射させる。
【０１３３】
シャッタ７１は、制御部２１（図４）の制御に基づいて青色光ビームＬｂ２を遮断又は透過するようになされており、当該青色光ビームＬｂ２を透過した場合、偏光ビームスプリッタ７２へ入射させる。
【０１３４】
因みにシャッタ７１としては、例えば青色光ビームＬｂ２を遮断する遮断板を機械的に動かすことにより青色光ビームＬｂ２を遮断又は透過する機械式シャッタや、液晶パネルに印加する電圧を変化することにより当該青色光ビームＬｂ２を遮断又は透過する液晶シャッタ等を用いることができる。
【０１３５】
偏光ビームスプリッタ７２の反射透過面７２Ｓは、例えばｐ偏光の光ビームを約１００％の割合で透過し、ｓ偏光の光ビームを約１００％の割合で反射するようになされている。実際上、偏光ビームスプリッタ７２は、ｐ偏光でなる青色光ビームＬｂ２をそのまま透過させ、ミラー７３により反射させた後、１／４波長板７４により直線偏光（ｐ偏光）から円偏光（左円偏光）に変換させた上で、リレーレンズ７５へ入射させる。
【０１３６】
リレーレンズ７５は、リレーレンズ６０と同様に構成されており、可動レンズ６１、アクチュエータ６１Ａ及び固定レンズ６２とそれぞれ対応する可動レンズ７６、アクチュエータ７６Ａ及び固定レンズ７７を有している。
【０１３７】
リレーレンズ７５は、可動レンズ７６により青色光ビームＬｂ２を平行光から収束光に変換し、収束後に発散光となった当該青色光ビームＬｂ２を固定レンズ７７により再度収束光に変換し、ガルバノミラー７８へ入射させる。
【０１３８】
またリレーレンズ７５は、リレーレンズ６０と同様、制御部２１（図４）の制御に基づきアクチュエータ７６Ａによって可動レンズ７６を移動させることにより、固定レンズ７７から出射される青色光ビームＬｂ２の収束状態を変化させ得るようになされている。
【０１３９】
ガルバノミラー７８は、青色光ビームＬｂ２を反射し、対物レンズ７９へ入射させる。因みに青色光ビームＬｂ２は、反射されるときに円偏光における偏光方向が反転され、例えば左円偏光から右円偏光に変換される。
【０１４０】
またガルバノミラー７８は、反射面７８Ａの角度を変化し得るようになされており、制御部２１（図４）の制御に従い反射面７８Ａの角度を調整することにより、青色光ビームＬｂ２の進行方向を調整し得るようになされている。
【０１４１】
対物レンズ７９は、２軸アクチュエータ７９Ａと一体に構成されており、当該２軸アクチュエータ７９Ａにより、対物レンズ３８と同様、光ディスク１００への近接方向又は離隔方向であるフォーカス方向と、光ディスク１００の内周側方向又は外周側方向であるトラッキング方向との２軸方向へ駆動され得るようになされている。
【０１４２】
この対物レンズ７９は、青色光ビームＬｂ２を集光し、光ディスク１００の記録光照射面１００Ｂへ照射する。この対物レンズは、対物レンズ３８と同様の光学特性を有しており、当該青色光ビームＬｂ２に関して、リレーレンズ７５との光学的な距離等の関係により、開口数（ＮＡ）が０．５の集光レンズとして作用することになる。
【０１４３】
このとき青色光ビームＬｂ２は、図３（Ｂ）に示したように、基板１０３を透過して記録層１０１内に合焦する。ここで当該青色光ビームＬｂ２の青色光焦点Ｆｂ２の位置は、リレーレンズ７５の固定レンズ７７から出射される際の収束状態により定められることになる。すなわち当該青色光焦点Ｆｂ２は、青色光ビームＬｂ１の青色光焦点Ｆｂ１と同様、可動レンズ７６の位置に応じて記録層１０１内の案内面１００Ａ側又は記録光照射面１００Ｂ側へ移動することになる。
【０１４４】
具体的に記録光照射面光学系７０は、案内面情報光学系５０と同様、可動レンズ７６の移動距離と青色光ビームＬｂ２の青色光焦点Ｆｂ２の移動距離とがほぼ比例関係となるように設計されており、例えば可動レンズ７６を１［ｍｍ］移動させると、青色光ビームＬｂ２の青色光焦点Ｆｂ２が３０［μｍ］移動するようになされている。
【０１４５】
実際上、記録光照射面光学系７０は、制御部２１（図４）によってリレーレンズ６０における可動レンズ６１の位置と共にリレーレンズ７５における可動レンズ７６の位置が制御されることにより、光ディスク１００の記録層１０１内における青色光ビームＬｂ２の青色光焦点Ｆｂ２（図３（Ｂ））の深さｄ２を調整するようになされている。
【０１４６】
このとき光ディスク装置２０では、制御部２１（図４）により、光ディスク１００に面ブレ等が発生していないと仮定したときの（すなわち理想的な状態の）記録層１０１内における、対物レンズ３８が基準位置にあるときの青色光ビームＬｂ１の青色光焦点Ｆｂ１に対して、対物レンズ７９が基準位置にあるときの青色光ビームＬｂ２の青色光焦点Ｆｂ２を合わせるようになされている。
【０１４７】
青色光ビームＬｂ２は、青色光焦点Ｆｂ２において合焦した後、発散しながら記録層１０１、反射透過膜１０４及び基板１０２を透過し、案内面１００Ａから出射されて、対物レンズ３８へ入射されるようになされている。
【０１４８】
このように記録光照射面光学系７０は、青色光ビームＬｂ２を光ディスク１００の記録光照射面１００Ｂ側から照射して記録層１０１内に当該青色光ビームＬｂ２の青色光焦点Ｆｂ２を位置させ、さらにリレーレンズ７５における可動レンズ７６の位置に応じて、当該青色光焦点Ｆｂ２の深さｄ２を調整するようになされている。
【０１４９】
（３−３−２）青色光ビームの受光
ところで、案内面情報光学系５０（図９）の対物レンズ３８から照射された青色光ビームＬｂ１は、上述したように、光ディスク１００の記録層１０１内において一度収束した後、発散光となり対物レンズ７９へ入射される。
【０１５０】
このとき記録光照射面光学系７０では、青色光ビームＬｂ１が対物レンズ７９によりある程度収束された後、ガルバノミラー７８により反射されて、リレーレンズ７５へ入射される。因みに青色光ビームＬｂ１は、反射面７８Ｓにおいて反射される際、円偏光における偏光方向が反転され、例えば左円偏光から右円偏光に変換される。
【０１５１】
続いて青色光ビームＬｂ１は、リレーレンズ７５の固定レンズ６２及び可動レンズ６１によって平行光に変換され、さらに１／４波長板７４により円偏光（右円偏光）から直線偏光（ｓ偏光）に変換された後、ミラー７３により反射されてから、偏光ビームスプリッタ７２へ入射される。
【０１５２】
偏光ビームスプリッタ７２は、青色光ビームＬｂ１の偏光方向に応じて当該青色光ビームＬｂ１を反射し、集光レンズ８０へ入射させる。集光レンズ８０は、青色光ビームＬｂ１を収束させ、シリンドリカルレンズ８１により非点収差を持たせた上で当該青色光ビームＬｂ１をフォトディテクタ８２へ照射する。
【０１５３】
しかしながら光ディスク１００は、実際には面ブレ等を生じる可能性がある。このため対物レンズ３８は、上述したように、案内面位置制御光学系３０及び駆動制御部２２（図４）等によりフォーカス制御及びトラッキング制御されるようになされている。
【０１５４】
このとき青色光ビームＬｂ１の青色光焦点Ｆｂ１は、対物レンズ３８の移動に伴って移動することになるため、対物レンズ７９が基準位置にあるときの青色光ビームＬｂ２における青色光焦点Ｆｂ２の位置からずれることになる。
【０１５５】
そこで記録光照射面光学系７０では、記録層１０１内における青色光ビームＬｂ１の青色光焦点Ｆｂ１に対する青色光ビームＬｂ２の青色光焦点Ｆｂ２のずれ量が、集光レンズ８０により青色光ビームＬｂ１が集光されフォトディテクタ８２へ照射されるときの照射状態に反映されるよう、各種光学部品の光学的位置が調整されている。
【０１５６】
フォトディテクタ８２は、図１１に示すように、フォトディテクタ４３と同様、青色光ビームＬｂ１が照射される面上に、格子状に分割された４つの検出領域８２Ａ、８２Ｂ、８２Ｃ及び８２Ｄを有している。因みに矢印ａ２により示される方向（図中の横方向）は、青色光ビームＬｂ１が照射されるときの、反射透過膜１０４（図３）におけるトラックの走行方向に対応している。
【０１５７】
フォトディテクタ８２は、検出領域８２Ａ、８２Ｂ、８２Ｃ及び８２Ｄにより青色光ビームＬｂ１の一部をそれぞれ検出し、このとき検出した光量に応じて検出信号ＳＤＡｂ、ＳＤＢｂ、ＳＤＣｂ及びＳＤＤｂをそれぞれ生成して、これらを信号処理部２３（図４）へ送出する。
【０１５８】
信号処理部２３は、いわゆる非点収差法によるフォーカス制御を行うようになされており、次に示す（５）式に従ってフォーカスエラー信号ＳＦＥｂを算出し、これを駆動制御部２２へ供給する。
【０１５９】
【数５】
2008097702.tif 000007
【０１６０】
このフォーカスエラー信号ＳＦＥｂは、青色光ビームＬｂ１の青色光焦点Ｆｂ１と青色光ビームＬｂ２の青色光焦点Ｆｂ２とのフォーカス方向に関するずれ量を表すことになる。
【０１６１】
また信号処理部２３は、プッシュプル信号を用いたトラッキング制御を行うようになされており、次に示す（６）式に従ってトラッキングエラー信号ＳＴＥｂを算出し、これを駆動制御部２２へ供給する。
【０１６２】
【数６】
2008097702.tif 000008
【０１６３】
このトラッキングエラー信号ＳＴＥｂは、青色光ビームＬｂ１の青色光焦点Ｆｂ１と青色光ビームＬｂ２の青色光焦点Ｆｂ２とのトラッキング方向に関するずれ量を表すことになる。
【０１６４】
さらに信号処理部２３は、タンジェンシャル制御に必要なタンジェンシャルエラー信号も生成するようになされている。このタンジェンシャル制御とは、タンジェンシャル方向（すなわちトラックの接線方向）に関して青色光ビームＬｂ２の青色光焦点Ｆｂ２を目標位置へ移動させる制御である。
【０１６５】
具体的に信号処理部２３は、プッシュプル信号を用いたタンジェンシャル制御を行うようになされており、次に示す（７）式に従ってタンジェンシャルエラー信号ＳＮＥｂを算出し、これを駆動制御部２２へ供給する。
【０１６６】
【数７】
2008097702.tif 000009
【０１６７】
このタンジェンシャルエラー信号ＳＮＥｂは、青色光ビームＬｂ１の青色光焦点Ｆｂ１と青色光ビームＬｂ２の青色光焦点Ｆｂ２とのタンジェンシャル方向に関するずれ量を表すことになる。
【０１６８】
これに応じて駆動制御部２２は、フォーカスエラー信号ＳＦＥｂを基にフォーカス駆動信号ＳＦＤｂを生成し、当該フォーカス駆動信号ＳＦＤｂを２軸アクチュエータ７９Ａへ供給することにより、青色光ビームＬｂ１の青色光焦点Ｆｂ１に対する青色光ビームＬｂ２の青色光焦点Ｆｂ２のフォーカス方向に関するずれ量を減少させるよう、対物レンズ７９をフォーカス制御するようになされている。
【０１６９】
また駆動制御部２２は、トラッキングエラー信号ＳＴＥｂを基にトラッキング駆動信号ＳＴＤｂを生成し、当該トラッキング駆動信号ＳＴＤｂを２軸アクチュエータ７９Ａへ供給することにより、青色光ビームＬｂ１の青色光焦点Ｆｂ１に対する青色光ビームＬｂ２の青色光焦点Ｆｂ２のトラッキング方向に関するずれ量を減少させるよう、対物レンズ７９をトラッキング制御するようになされている。
【０１７０】
さらに駆動制御部２２は、タンジェンシャルエラー信号ＳＮＥｂを基にタンジェンシャル駆動信号ＳＮＤｂを生成し、当該タンジェンシャル駆動信号ＳＮＤｂをガルバノミラー７８へ供給することにより、青色光ビームＬｂ１の青色光焦点Ｆｂ１に対する青色光ビームＬｂ２の青色光焦点Ｆｂ２のタンジェンシャル方向に関するずれ量を減少させるよう、ガルバノミラー７８における反射面７８Ａの角度を調整する、タンジェンシャル制御を行うようになされている。
【０１７１】
このように記録光照射面光学系７０は、光ディスク１００の記録光照射面１００Ｂから対物レンズ７９へ入射される青色光ビームＬｂ１を受光し、その受光結果を信号処理部２３へ供給するようになされている。これに応じて駆動制御部２２は、青色光ビームＬｂ２の青色光焦点Ｆｂ２を青色光ビームＬｂ１の青色光焦点Ｆｂ１に合わせるよう、対物レンズ７９のフォーカス制御及びトラッキング制御、並びにガルバノミラー７８によるタンジェンシャル制御を行うようになされている。
【０１７２】
（３−４）光路長の調整
ところで光ディスク装置２０の光ピックアップ２６は、情報を記録する際、上述したように、偏光ビームスプリッタ５５（図９）により、青色光ビームＬｂ０から青色光ビームＬｂ１及びＬｂ２を分離し、光ディスク１００の記録層１０１内で当該青色光ビームＬｂ１及びＬｂ２を互いに干渉させることにより、当該記録層１０１内の目標マーク位置に記録マークＲＭを記録させるようになされている。
【０１７３】
この青色光ビームＬｂ０を出射するレーザダイオード５１は、一般的なホログラムの形成条件に従い、光ディスク１００の記録層１０１にホログラムとしての記録マークＲＭが正しく記録されるために、当該青色光ビームＬｂ０のコヒーレント長をホログラムサイズ（すなわち記録マークＲＭの高さＲＭｈ）以上とする必要がある。
【０１７４】
実際上レーザダイオード５１では、一般的なレーザダイオードと同様、このコヒーレント長が、当該レーザダイオード５１内に設けられた共振器（図示せず）の長さに当該共振器の屈折率を乗じた値にほぼ相当するため、およそ１００［μｍ］から１［ｍｍ］程度であると考えられる。
【０１７５】
一方、光ピックアップ２６では、青色光ビームＬｂ１が案内面情報光学系５０（図９）内の光路を通り、光ディスク１００の案内面１００Ａ側から照射されると共に、青色光ビームＬｂ２が記録光照射面光学系７０（図１０）内の光路を通り、光ディスク１００の記録光照射面１００Ｂ側から照射される。すなわち光ピックアップ２６では、青色光ビームＬｂ１及びＬｂ２の光路が互いに異なっているため、その光路長（すなわちレーザダイオード５１から目標マーク位置までの光路の長さ）に差が生じることになる。
【０１７６】
さらに光ピックアップ２６では、上述したように、リレーレンズ６０及び７５における可動レンズ６１及び７６の位置を調整することにより、光ディスク１００の記録層１０１内における目標マーク位置の深さ（目標深さ）を変更するようになされている。このとき光ピックアップ２６は、目標マーク位置の深さを変更することにより、結果的に青色光ビームＬｂ１及びＬｂ２の光路長をそれぞれ変化させることになる。
【０１７７】
しかしながら、光ピックアップ２６において干渉パターンが形成されるには、一般的なホログラムの形成条件により、当該青色光ビームＬｂ１及びＬｂ２における光路長の差がコヒーレント長（すなわちおよそ１００［μｍ］から１［ｍｍ］）以下となる必要がある。
【０１７８】
そこで制御部２１（図４）は、可動ミラー５７の位置を制御することにより、青色光ビームＬｂ１の光路長を調整するようになされている。この場合、制御部２１は、リレーレンズ６０における可動レンズ６１の位置と目標マーク位置の深さとの関係を利用し、当該可動レンズ６１の位置に応じて可動ミラー５７を移動させることにより、当該青色光ビームＬｂ１の光路長を変化させるようになされている。
【０１７９】
この結果、光ピックアップ２６では、青色光ビームＬｂ１及びＬｂ２における光路長の差をコヒーレント長以下に抑えることができ、記録層１０１内の目標マーク位置に良好なホログラムでなる記録マークＲＭを記録することができる。
【０１８０】
このように光ディスク装置２０の制御部２１は、可動ミラー５７の位置を制御することにより、光ピックアップ２６内の青色光ビームＬｂ１及びＬｂ２における光路長の差をコヒーレント長以下に抑え、この結果として光ディスク１００の記録層１０１内における目標マーク位置に良好な記録マークＲＭを記録し得るようになされている。
【０１８１】
（４）情報の記録及び再生
（４−１）光ディスクに対する情報の記録
光ディスク１００に情報を記録する場合、光ディスク装置２０の制御部２１（図４）は、上述したように、外部機器（図示せず）等から情報記録命令、記録情報及び記録アドレス情報を受け付けると、駆動命令及び記録アドレス情報を駆動制御部２２へ供給すると共に、記録情報を信号処理部２３へ供給する。
【０１８２】
このとき駆動制御部２２は、光ピックアップ２６の案内面位置制御光学系３０（図７）により赤色光ビームＬｒ１を光ディスク１００の案内面１００Ａ側から照射させ、その反射光である赤色反射光ビームＬｒ２の検出結果を基に、対物レンズ３８のフォーカス制御及びトラッキング制御（すなわち位置制御）を行うことにより、赤色光ビームＬｒ１の赤色光焦点Ｆｒを記録アドレス情報に対応した目標トラックに追従させる。
【０１８３】
また制御部２１は、案内面情報光学系５０（図９）により青色光ビームＬｂ１を光ディスク１００の案内面１００Ａ側から照射させる。このとき青色光ビームＬｂ１の青色光焦点Ｆｂ１は、位置制御された対物レンズ３８によって集光されることにより、目標トラックの裏側に位置することになる。
【０１８４】
さらに制御部２１は、リレーレンズ６０における可動レンズ６１の位置を調整することにより、当該青色光焦点Ｆｂ１（図３（Ｂ））の深さｄ１を目標深さに調整する。この結果、青色光ビームＬｂ１の青色光焦点Ｆｂ１は、目標マーク位置に合わされる。
【０１８５】
一方、制御部２１は、記録光照射面光学系７０（図１０）のシャッタ７１を制御して
青色光ビームＬｂ２を透過させ、当該青色光ビームＬｂ２を光ディスク１００の記録光照射面１００Ｂ側から照射させる。
【０１８６】
また制御部２１は、リレーレンズ６０における可動レンズ６１の位置に合わせてリレーレンズ７５における可動レンズ７６の位置を調整することにより、青色光ビームＬｂ２（図３（Ｂ））の深さｄ２を調整する。これにより青色光ビームＬｂ２は、青色光焦点Ｆｂ２の深さｄ２が、光ディスク１００に面ブレが生じていないと仮定した場合の青色光ビームＬｂ１における青色光焦点Ｆｂ１の深さｄ１に合わされる。
【０１８７】
さらに制御部２１は、対物レンズ３８及び７９を介した青色光ビームＬｂ１を記録光照射面光学系７０により検出させ、その検出結果を基に、駆動制御部２２により対物レンズ７９のフォーカス制御及びトラッキング制御（すなわち位置制御）、並びにガルバノミラー７８のタンジェンシャル制御を行わせる。
【０１８８】
この結果、青色光ビームＬｂ２の青色光焦点Ｆｂ２は、青色光ビームＬｂ１における青色光焦点Ｆｂ１の位置、すなわち目標マーク位置に合わされる。
【０１８９】
そのうえ制御部２１は、リレーレンズ６０における可動レンズ６１の位置に応じて可動ミラー５７の位置を調整し、青色光ビームＬｂ１及びＬｂ２における光路長の差をコヒーレント長以下に抑える。
【０１９０】
かくして光ディスク装置２０の制御部２１は、光ディスク１００の記録層１０１内の目標マーク位置に対して、良好な記録マークＲＭを形成させることができる。
【０１９１】
ところで信号処理部２３（図４）は、外部機器（図示せず）等から供給される記録情報を基に、例えば値「０」又は「１」のバイナリデータを表す記録信号を生成する。これに応じてレーザダイオード５１は、例えば記録信号が値「１」である時に青色光ビームＬｂ０を出射し、記録信号が値「０」である時に青色光ビームＬｂ０を出射しないようになされている。
【０１９２】
これにより光ディスク装置２０では、記録信号が値「１」のときには光ディスク１００の記録層１０１内の目標マーク位置に記録マークＲＭを形成し、当該記録信号が値「０」のときには当該目標マーク位置に当該記録マークＲＭを形成しないことになるため、当該記録マークＲＭの有無により当該目標マーク位置に記録信号の値「１」又は「０」を記録することができ、結果的に記録情報を光ディスク１００の記録層１０１に記録することができる。
【０１９３】
（４−２）光ディスクからの情報の再生
光ディスク１００から情報を再生する場合、光ディスク装置２０の制御部２１（図４）は、光ピックアップ２６の案内面位置制御光学系３０（図７）により赤色光ビームＬｒ１を光ディスク１００の案内面１００Ａ側から照射させ、その反射光である赤色反射光ビームＬｒ２の検出結果を基に、駆動制御部２２により対物レンズ３８のフォーカス制御及びトラッキング制御（すなわち位置制御）を行わせる。
【０１９４】
また制御部２１は、案内面情報光学系５０（図９）により青色光ビームＬｂ１を光ディスク１００の案内面１００Ａ側から照射させる。このとき青色光ビームＬｂ１の青色光焦点Ｆｂ１は、位置制御された対物レンズ３８によって集光されることにより、目標トラックの裏側に位置することになる。
【０１９５】
因みに制御部２１は、再生時におけるレーザダイオード５１の出射パワーを抑えることにより、青色光ビームＬｂ１による記録マークＲＭの誤消去を防止するようになされている。
【０１９６】
さらに制御部２１は、リレーレンズ６０における可動レンズ６１の位置を調整することにより、当該青色光焦点Ｆｂ１（図３（Ｂ））の深さｄ１を目標深さに調整する。この結果、青色光ビームＬｂ１の青色光焦点Ｆｂ１は、目標マーク位置に合わされる。
【０１９７】
一方、制御部２１は、記録光照射面光学系７０（図１０）のシャッタ７１を制御し、青色光ビームＬｂ２を遮断することにより、当該青色光ビームＬｂ２を光ディスク１００には照射させない。
【０１９８】
すなわち光ピックアップ２６は、光ディスク１００の記録層１０１内における目標マーク位置に記録されている記録マークＲＭに対して、いわゆる参照光としての青色光ビームＬｂ１のみを照射する。これに応じて当該記録マークＲＭは、ホログラムとして作用し、いわゆる再生光としての青色再生光ビームＬｂ３を案内面１０１Ａ側へ発生させる。このとき案内面情報光学系５０は、この青色再生光ビームＬｂ３を検出し、その検出結果に応じた検出信号を生成する。
【０１９９】
かくして光ディスク装置２０の制御部２１は、光ディスク１００の記録層１０１内における目標マーク位置に記録されている記録マークＲＭから青色再生光ビームＬｂ３を発生させ、これを受光することにより、記録マークＲＭが記録されていることを検出することができる。
【０２００】
ここで光ディスク装置２０は、目標マーク位置に記録マークＲＭが記録されていなかった場合、当該目標マーク位置からは青色再生光ビームＬｂ３が発生しないため、案内面情報光学系５０により、当該青色再生光ビームＬｂ３を受光しなかったことを示す検出信号を生成することになる。
【０２０１】
これに応じて信号処理部２２は、検出信号を基に、青色再生光ビームＬｂ３が検出されたか否かを値「１」又は「０」として認識し、この認識結果を基に再生情報を生成する。
【０２０２】
これにより光ディスク装置２０では、光ディスク１００の記録層１０１内の目標マーク位置に記録マークＲＭが形成されているときには青色再生光ビームＬｂ３を受光し、当該目標マーク位置に当該記録マークＲＭが形成されていないときには青色再生光ビームＬｂ３を受光しないことにより、目標マーク位置に値「１」又は「０」のいずれが記録されているかを認識することができ、結果的に光ディスク１００の記録層１０１に記録された情報を再生することができる。
【０２０３】
（５）案内面情報光学系における青色光焦点の深さの調整
ところで光ディスク装置２０では、対物レンズ３８に対する反射透過膜１０４の位置が光ディスク１００の振動や撓みなどによって逐次変化するが、赤色光ビームＬｒ１に基づいて対物レンズ３８を駆動することにより赤色光ビームＬｒ１を常に反射透過膜１０４に合焦させている。
【０２０４】
光ディスク装置２０では、赤色光ビームＬｒ１と同一の対物レンズ３８を介して青色光ビームＬｂ１を光ディスク１００に照射することから、赤色光焦点Ｆｒの移動に伴って青色光焦点Ｆｂ１も移動する。
【０２０５】
すなわち光ディスク装置２０では、対物レンズ３８の駆動により赤色光ビームＬｒ１を反射透過膜１０４に合焦させた状態において、一旦青色光ビームＬｂ１が反射透過膜１０４に合焦する位置にリレーレンズ６０の可動レンズ６１を変位させれば、後は可動レンズ６１を駆動しなくても、対物レンズ３８の駆動によって青色光ビームＬｂ１が常に反射透過膜１０４に合焦することになる。
【０２０６】
このため光ディスク装置２０は、この赤色光ビームＬｒ１を反射透過膜１０４に合焦させた状態で、反射透過膜１０４から目標マーク位置までの深さを表す目標深さだけ反射透過膜１０４から青色光焦点Ｆｂ１を移動させるように、青色光ビームＬｂ１が反射透過膜１０４に合焦する位置を基準にして可動レンズ６１を駆動すれば、青色光焦点Ｌｂ１の深さｄ１を目標深さに移動させることができることになる。
【０２０７】
次に、青色光ビームＬｒを反射透過膜１０４に合焦させる処理について説明し、その後に青色光焦点Ｆｂ１を目標深さに移動させる処理について説明する。
【０２０８】
（５−１）青色光ビームの反射透過膜への合焦
図３を用いて上述したように、光ディスク１００には、反射透過膜１０４が形成されている。図１２に示すように本実施の形態における反射透過膜１０４には、記録処理及び再生処理に使用される青色光透過領域１０４Ａが光ディスク１００のほぼ全面に形成されていると共に、以下に詳述する可動レンズ６１の基準位置の設定処理に使用される青色光反射領域１０４Ｂが光ディスク１００の中心付近、すなわち孔部１００Ｈの周辺部に、少なくとも可動レンズの基準位置の設定処理の際に必要となるトラック数以上に渡って形成されている。
【０２０９】
この青色光透過領域１０４Ａは、波長選択性を有する透過反射膜によって赤色光ビームＬｒ１を反射し、青色光ビームＬｂ１を透過させる。これに対して、青色光反射領域１０４Ｂは、波長選択性を有さない反射膜によって赤色光ビームＬｒ１と青色光ビームＬｂ１との双方を反射させるようになされている。
【０２１０】
なお、青色光透過領域１０４Ａ及び青色光反射領域１０４Ｂは、例えば同じ層数でなる誘電体多層膜によってほぼ同じ膜厚になるように形成されている。このため光ディスク装置２０は、光ディスク１００における青色光透過領域１０４Ａと青色光反射領域１０４Ｂとの表面（すなわち基板１０２との界面）を深さ方向に一致させることができ、青色光焦点Ｆｂ１が青色光反射領域１０４Ｂに合焦するときと、青色光透過領域１０４Ａに合焦するときの可動レンズ６１の位置を一致させることができる。
【０２１１】
光ディスク装置２０の制御部２１（図４）は、光ディスク１００が光ディスク装置２０に装填されたことを認識すると、案内面位置制御光学系３０(図６)におけるレーザダイオード３１から赤色光ビームＬｒ１を出射する。このときフォトディテクタ４３は、赤色光ビームＬｒ１が光ディスク１００の反射透過膜１０４で反射されてなる赤色反射光ビームＬｒ２を受光し、この受光量に応じた検出信号ＳＤＡｒ、ＳＤＢｒ、ＳＤＣｒ及びＳＤＤｒを生成すると、これらを信号処理部２３に供給する。
【０２１２】
信号処理部２３(図４)は、（３）式及び（４）式に従って検出信号ＳＤＡｒ、ＳＤＢｒ、ＳＤＣｒ及びＳＤＤｒからフォーカスエラー信号ＳＦＥｒ及びトラッキングエラー信号ＳＴＥｒを生成し、これらを駆動制御部２２に供給する。駆動制御部２２は、フォーカスエラー信号ＳＦＥｒ及びトラッキングエラー信号ＳＴＥｒに基づきスレッドモータ２５及び対物レンズ３８(図６)を駆動することにより、赤色光ビームＬｒ１を反射透過膜１０４の内周部分に形成された青色光反射領域１０４Ｂに合焦させる。
【０２１３】
さらに制御部２１は、赤色光ビームＬｒ１を青色光反射領域１０４Ｂに合焦させた状態、すなわち赤色光焦点Ｆｒ１が青色光反射領域１０４Ｂの表面上にある状態で、案内面情報光学系５０のレーザダイオード５１から青色光ビームＬｂ０を出射する。
【０２１４】
このとき案内面情報系５０では、ビームスプリッタ５５によって青色光ビームＬｂ０が青色光ビームＬｂ１及びＬｂ２に分離され、青色光ビームＬｂ１が可動レンズ６１を介して光ディスク１００に照射される。
【０２１５】
ここで、光ディスク装置２０は、上述したように赤色光ビームＬｒ１を青色光反射領域１０４Ｂに照射している。光ディスク装置２０では、青色光ビームＬｂ１を赤色光ビームＬｒ１と同一の対物レンズ３８を介して光ディスク１００に照射することから、青色光ビームＬｂ１を青色光反射領域１０４Ｂに照射することになる。
【０２１６】
従って、光ディスク装置２０は、青色光ビームＬｂ１を青色光反射領域１０４Ｂによって反射させ、反射された青色反射光ビームＬｂ１０をフォトディテクタ６５によって受光する。なお、このとき光ディスク装置２０は、シャッタ７１によって記録光照射面光学系７０へ入射する青色光ビームＬｂ２を遮断するため、青色反射光ビームＬｂ１０のみを受光することができる。
【０２１７】
図１３に示すように、フォトディテクタ６５は、フォトディテクタ４３及び８２と同様、青色反射光ビームＬｂ１０が照射される面上に、格子状に分割された４つの検出領域６５Ａ、６５Ｂ、６５Ｃ及び６５Ｄを有している。因みに矢印ａ３により示される方向（図中の縦方向）は、青色光ビームＬｂ１が照射されるときの、反射透過膜１０４（図３）におけるトラックの走行方向に対応している。
【０２１８】
フォトディテクタ６５は、いわゆる非点収差法によって、シリンドリカルレンズ６４を介した青色反射光ビームＬｂ１０を受光するため、青色光焦点Ｆｂ１が青色光反射領域１０４Ｂと合致している場合には、図１４（Ａ）のようにほぼ真円でなるスポットＱを受光する一方、青色光焦点Ｆｂ１が青色光反射領域１０４Ｂと合致していない場合には、図１４（Ｂ）又は（Ｃ）のように、楕円でなるスポットＱを受光する。
【０２１９】
フォトディテクタ６５は、検出領域６５Ａ、６５Ｂ、６５Ｃ及び６５Ｄにより青色反射光ビームＬｂ１０の一部をそれぞれ検出し、このとき検出した光量に応じて検出信号ＳＤＡｓ、ＳＤＢｓ、ＳＤＣｓ及びＳＤＤｓをそれぞれ生成して、これらを信号処理部２３（図４）へ送出する。
【０２２０】
信号処理部２３は、次に示す（８）式に従って、このフォトディテクタ６５における検出領域６５Ａ及び６５Ｃの受光量から検出領域６５Ｂ及び６５Ｄの受光量を減算することにより、青色光焦点Ｆｂ１の青色光反射領域１０４Ｂに対するずれ量を表すフォーカスエラー信号ＳＦＥｓを算出することができる。
【０２２１】
【数８】
2008097702.tif 000010
【０２２２】
そして制御部２１は、可動レンズ６１（図６）を制御し、当該可動レンズ６１の可動範囲内の一端から他端まで、例えば青色光焦点Ｆｂ１が対物レンズ３８から遠ざかる方向に可動レンズ６１を変位させると共に、信号処理部２３によって算出されるフォーカスエラー信号ＳＦＥｓを取得する。
【０２２３】
制御部２１は、図１５に示すように、青色光焦点Ｆｂ１が青色光反射領域１０４Ｂに合致したことによりフォーカスエラー信号ＳＦＥｓがゼロを示すゼロクロス点ＺＣを検出し、このときの可動レンズ６１の位置を基準位置としてＲＡＭ（図示しない）に記憶することにより、可動レンズ６１の基準位置を設定するようになされている。
【０２２４】
このように光ディスク装置２０の制御部２１は、赤色光ビームＬｒ１が青色光反射領域１０４Ｂに合焦しているときに、青色光ビームＬｂ１を青色光反射領域１０４Ｂに合焦させることにより、可動レンズ６１の基準位置を青色光焦点Ｆｂ１が反射透過膜１０４及び赤色光焦点Ｆｒと一致する位置に設定することができる。
【０２２５】
光ディスク装置２０は、赤色光ビームＬｒ１を常に反射透過膜１０４に合焦させることから、可動レンズ６１が基準位置にあるときには、当該赤色光ビームＬｒ１と同一の対物レンズ３８を介して照射される青色光ビームＬｂ１が反射透過膜１０４に合焦することになる。
【０２２６】
次に、青色光ビームＬｂ１を目的深さに移動させる処理について説明する。
【０２２７】
（５−２）青色光焦点の移動
光ディスク１００に情報を記録又は再生する際、光ディスク装置２０の制御部２１は、目標マーク位置に青色光ビームＬｂ１を照射するため、目標マーク位置の反射透過膜１０４からの深さを表す目標深さに応じて基準位置を基準にして可動レンズ６１を変位させるようになされている。
【０２２８】
このとき可動レンズ６１の基準位置からの変位量Δは、固定レンズ６２の焦点距離をｆ１、対物レンズ３８の焦点距離をｆ２、記録層１０１の屈折率をｎｈ、目標深さをδとしたとき、次式によって表すことができる。
【０２２９】
【数９】
2008097702.tif 000011
【０２３０】
ここで、固定レンズ６２の焦点距離ｆ１、対物レンズ３８の焦点距離ｆ２及び記録層１０１の屈折率ｎｈはそれぞれ使用される固定レンズ６２、対物レンズ３８及び記録層１０１によって一義的に定まる値であることから、可動レンズ６１の変位量Δは目標深さδと比例関係を有している。なお、（９）式に示すように、可動レンズ６１の変位量Δと目標深さδとの関係において、基板１０２及び１０３の屈折率は無関係となる。
【０２３１】
従って、例えば可動レンズ６１を１［ｍｍ］だけ変位させると、青色光ビームＬｂ１の青色光焦点Ｆｂ１が３０［μｍ］移動するように案内面情報光学系５０が設計されている場合、制御部２０は、６０［μｍ］の目標深さδに対して可動レンズ６１を基準位置から２［ｍｍ］変位させることにより、青色光焦点Ｆｂ１の深さｄ１を目標深さδに移動させることができるようになされている。
【０２３２】
なお実際上、光ディスク装置２０は、制御部２１から供給される駆動制御信号に応じて、現在の深さｄ１から次の目標深さδまでの差分だけ青色光焦点Ｆｂ１を移動させるように可動レンズ６１を駆動させることにより、基準位置から目的深さδに応じた任意の距離だけ可動レンズ６１を変位させるようにする。
【０２３３】
このように、光ディスク装置２０は、赤色光焦点Ｆｒと反射透過膜１０４が合致した状態において青色光焦点Ｆｂ１が反射透過膜１０４に一致する位置を、装填された光ディスク１００に対応する可動レンズ６１の基準位置とすると共に、図１６に示すように対物レンズ３８を駆動して反射透過膜１０４までの距離Ｄｄを調整することにより可動レンズ６１が基準位置にあるときの青色光焦点Ｆｂを反射透過膜１０４上に合わせる。そして光ディスク装置２０は、可動レンズ６１を青色光焦点Ｆｂの目標深さに応じて基準位置から変位させることにより、高い精度で青色光焦点Ｆｂ１の深さｄ１を目標深さに移動させることができるようになされている。
【０２３４】
（６）青色光焦点の深さの調整処理
次に、青色光焦点深さ調整プログラムに従って実行される青色光焦点の深さの調整処理について、図１７のフローチャートを用いて説明する。
【０２３５】
光ディスク装置２０の制御部２１は、当該光ディスク装置２０に光ディスク１００が装填されると、青色光焦点の深さの調整処理手順ＲＴ１を開始し、次のステップＳＰ１へ移る。
【０２３６】
ステップＳＰ１において、制御部２１は、案内面位置制御光学系３０における対物レンズ３８（図６）を駆動させることにより、赤色光焦点を反射透過膜１０４の青色光反射領域１０４Ｂに合焦させると、次のステップＳＰ２へ移る。
【０２３７】
ステップＳＰ２において、制御部２１は、案内面情報光学系５０におけるレーザダイオード５１から青色光ビームＬｂ０を出射し、青色光ビームＬｂ１が青色光反射領域１０４Ｂで反射されてなる青色反射光ビームＬｂ１０に基づくフォーカスエラー信号ＳＦＥｓの生成を開始すると、次のステップＳＰ３へ移る。
【０２３８】
ステップＳＰ３において、制御部２１は、リレーレンズ６０の可動レンズ６１を駆動可能範囲に渡って移動させると共に、このときのフォーカスエラー信号ＳＦＥｓを監視し、青色光ビームＬｂ１が青色光反射領域１０４Ｂに合焦したことを表すゼロクロス点ＺＣを検出すると、次のステップＳＰ４へ移る。
【０２３９】
ステップＳＰ４において、制御部２１は、ステップＳＰ３においてゼロクロス点を検出したときの可動レンズ６１の位置を基準位置として設定すると、次のステップＳＰ５へ移り、処理を終了する。
【０２４０】
そして制御部２１は、光ディスク１００に情報を記録又は再生する際、目標深さδに応じた変位量だけ可動レンズ６１を基準位置から変位させることにより、青色光焦点Ｆｂ１の深さｄ１を目標深さδに移動させるようになされている。
【０２４１】
（７）動作及び効果
以上の構成において、本発明の光ディスク装置２０は、第1の光である赤色光ビームＬｒ１が光ディスク１００に形成された反射透過層である反射透過膜１０４に合焦するように対物レンズ３８を駆動すると共に、焦点移動部であるリレーレンズ６０の可動レンズ６１を変位させることにより青色光ビームＬｂ１が照射されるべき目標深さδに照射する。そして光ディスク装置２０は、反射透過膜１０４に部分的に形成され、赤色光ビームＬｒ１及び青色光ビームＬｂ１を反射させる反射領域である青色光反射領域１０４Ｂに赤色光ビームＬｒ１が合焦している状態において、可動レンズ６１を青色光ビームＬｂ１の光軸方向に変位させることにより、青色光ビームＬｂ１が青色光反射領域１０４Ｂで反射された青色反射光ビームＬｂ１０に基づいて青色光ビームＬｂ１を青色光反射領域１０４Ｂに合焦させ、合焦したときの可動レンズ６１の位置を基準位置として設定し、この基準位置から目標深さδに応じた距離だけ可動レンズ６１を変位させることにより、青色反射光ビームＬｂ１の青色光焦点Ｆｂ１を目標深さδに移動させるようにした。
【０２４２】
これにより、光ディスク装置２０は、波長が異なる赤色光ビームＬｒ１の赤色光焦点Ｆｒ及び青色光ビームＬｂ１の青色光焦点Ｆｂ１を反射透過膜１０４で確実に合致させることができる。ここで光ディスク装置２０は、赤色光ビームＦｒ１が常に反射透過膜１０４に合焦するように対物レンズ３８を駆動するため、可動レンズ６１が基準位置にあるときに青色光ビームＦｒ１を常に反射透過膜１０４に合焦させることができ、目標深さに応じてこの基準位置から可動レンズ６１を目標深さδに応じた任意の量だけ変位させることにより、青色光焦点Ｆｂ１の反射透過膜１０４からの実際の深さｄ１を高い精度で目標深さδに移動させることができる。
【０２４３】
また可動レンズ６１は、（９）式のように、その変位量が青色光焦点Ｆｂ１の移動量に対して比例関係を有するように、一対となる可動レンズ６１及び固定レンズ６２からなるリレーレンズ６０が設計されているため、簡単な計算で青色光焦点Ｆｂ１の移動すべき量から可動レンズ６１の変位すべき量を算出することができ、光ディスク装置２０の構成を簡易にすることができる。
【０２４４】
さらに光ディスク装置２０は、光ディスク１００が装填される度に基準位置を設定し直すようにしたことにより、可動レンズ６１が変位を繰り返す中で徐々に生じる位置誤差を光ディスク１００が装填されるたびにリセットすることができ、一段と高い精度で深さｄ１を目標深さδに移動させることができる。
【０２４５】
また光ディスク装置２０は、光ディスク１００が装填される度に基準位置を設定し直すようにしたことにより、光ディスク１００がそれぞれ有する膜厚むらなどに拘わらず、個々の光ディスク１００に応じた基準位置を設定することができるため、一段と高い精度で深さｄ１を目標深さδに移動させることができる。
【０２４６】
さらに光ディスク１００は、青色光反射領域１０４Ｂを最内周部分にのみ設けるようにしたことにより、青色光ビームＬｂ１を透過しないため記録及び再生処理のできない領域を最小限に抑えることができ、光ディスク１００が有する面積を有効に活用することができる。
【０２４７】
以上の構成によれば、光ディスク装置２０は、反射透過膜１０４の一部を青色光反射領域１０４Ｂとして形成し、この青色光反射領域１０４Ｂで赤色光焦点Ｆｒ及び青色光焦点Ｆｂ１を合致させた位置を可動レンズ６１の基準位置とし、目標深さδに応じてこの基準位置から任意の量だけ可動レンズ６１を変位させるようにしたため、情報を表す記録マークを光ディスクに対して高精度に記録又は再生し得る光ディスク装置、記録マークの記録又は再生に用いる光の焦点位置を高精度に制御し得る焦点位置制御方法、及び情報を表す記録マークを高精度に記録させ得る光ディスクを実現できる。
【０２４８】
（８）他の実施の形態
なお上述した実施の形態においては、光ディスク１００の中心付近にのみ青色光反射領域１０４Ｂを設けるようにした場合について述べたが、本発明はこれに限らず、例えば図１８に示すように、光ディスク１００の最内周部分に加えて、リング状の青色光反射領域１０４Ｂを１又は２以上設けるようにしても良い。このとき光ディスク装置２０は、例えば光ディスク１００に対する情報を記録又は再生する際、青色光ビームＬｂ１が青色光反射領域１０４Ｂに照射される度に可動レンズ６１の基準位置を設定し直すようにする。
【０２４９】
これにより、光ディスク１００に歪みや撓みが生じ、光ディスク１００に生じるスキューが内周側と外周側とで変化するような場合に、このスキューに応じて可動レンズ６１の基準位置を設定することができるため、青色光焦点Ｆｂ１の基準焦点位置と反射透過膜１０４とを一段と高い精度で合致させることができる。
【０２５０】
例えば光ディスク装置２０は、再生処理又は記録処理を実行しているときに、青色光反射領域１０４Ｂが形成されたトラックに青色光ビームＬｂ１が照射されると、新たに基準位置を設定するようにする。このとき、フォトディテクタ６５によって検出される光量の変化によって光ディスク装置２０側で青色光反射領域１０４Ｂを検出しても良く、また光ディスク１００の例えばある場所に青色光反射領域１０４Ｂを表すアドレスを予め記録したり、直前のセクタに次のセクタが青色光反射領域１０４Ｂであることを表す情報を予め記録することにより、光ディスク１００に青色光反射領域１０４Ｂの開始及び終了トラックを表す情報を予め記録するようにしても良い。
【０２５１】
さらに光ディスク装置２０は、光ディスク１００が装填されたと認識したときに、図１８に示した光ディスク１００が有する全ての青色光反射領域１０４Ｂに対して可動レンズ６１の基準位置を設定してこれをＲＡＭに記憶しておき、記録処理又は再生処理が実行される目標マークのトラック位置に応じて使用する基準位置を選択し、青色光焦点Ｆｂ１を目標深さに移動させるようにしても良い。
【０２５２】
また上述した実施の形態においては、光ディスク１００の中心付近に青色光ビームＬｂ１の殆ど全てを反射する青色光反射領域１０４Ｂを反射透過膜１０４の一部として設けるようにした場合について述べたが、本発明はこれに限らず、図１９に示すように、反射透過膜１０４として例えば青色光ビームＬｂ１を所定の割合で反射及び透過する青色光反射透過領域１０４Ｃを光ディスク１００の全面に設けるようにしても良い。
【０２５３】
これにより、光ディスク装置２０は光ディスク１００の目標マーク位置に拘わらず、いつでも可動レンズ６１の基準位置を設定することができる。なお、この場合には、偏光ビームスプリッタ５５で分離される青色光ビームＬｂ１及びＬｂ２の光量比を調整することにより、光ディスク１００に照射される青色光ビームＬｂ１及びＬｂ２の光量比がほぼ同一になるように調整することが望ましい。
【０２５４】
さらに上述した実施の形態においては、青色光反射領域１０４Ｂの反射膜が青色光透過領域１０４Ａの透過反射膜の代わりに設けられているようにした場合について述べたが、本発明はこれに限らず、青色光反射領域１０４Ｂの反射膜を青色光透過領域１０４Ａの透過膜に重ねるように形成しても良い。この場合には青色光反射領域１０４Ｂと青色光透過領域１０４Ａとの膜厚差が微小（例えば２［μｍ］以下）になるように形成されることが好ましい。
【０２５５】
さらに上述した実施の形態においては、可動レンズ６１の基準位置を設定する際には、シャッタ７１によって青色光ビームＬｂ２を遮断するようにした場合について述べたが、本発明はこれに限らず、青色光反射領域１０４Ｂとして両面からの青色光ビームＬｂ１及びＬｂ２をほぼ完全に反射する反射膜を使用することにより、シャッタ７１の遮断状態に拘わらず青色光ビームＬｂ１が青色光反射領域１０４Ｂで反射してなる青色光ビームＬｂ１０のみをフォトディテクタ６５によって受光することができる。
【０２５６】
さらに上述した実施の形態においては、非点収差法によるフォーカスエラー信号ＳＦＥｓのゼロクロス点ＺＣを検出し、このときの可動レンズ６１の位置を基準位置に設定するようにした場合について述べたが、本発明はこれに限らず、例えば非点収差法を用いたときの再生ＲＦ信号が最大となる点を検出するようにしても良い。また、必ずしも非点収差法を用いる必要はなく、例えばフォトディテクタ６５を４分割するのではなく、中心部分と周辺部分とに分割し、中心部分の光量（再生ＲＦ信号）が最大となる点を検出するようにしても良い。
【０２５７】
さらに上述した実施の形態においては、可動レンズ６１の駆動可能範囲に渡って可動レンズ６１を移動させるようにした場合について述べたが、本発明はこれに限らず、駆動可能範囲よりも小さい所定の駆動範囲に渡って可動レンズ６１を移動させるようにしても良い。例えば記録層１０１内における青色光焦点Ｆｂ１の最大の目標深さに応じて必要となる可動レンズ６１の変位量を駆動可能範囲から差し引いた範囲を駆動範囲として設定することができる。
【０２５８】
さらに上述した実施の形態においては、フォーカスエラー信号ＳＦＥｓの生成を開始してから可動レンズ６１の移動を開始するようにした場合について述べたが、本発明はこれに限らず、例えば青色光ビームＦｂ０の出射と同時に可動レンズ６１を移動させ、これと同時に青色反射光ビームＦｂ１０に基づくフォーカスエラー信号ＳＦＥｓの生成を開始するようにしても良い。
【０２５９】
さらに上述した実施の形態においては、光ディスク１００の両面側から２つの青色光ビームＬｂ１及びＬｂ２を照射するようにした場合について述べたが、本発明はこれに限らず、光ディスク１００の片面側から２つの青色光ビームＬｂ１及びＬｂ２を照射すると共に、一方の青色光ビームＬｂ１又はＬｂ２を目標マーク位置に直接照射し、他方の青色光ビームＬｂ１又はＬｂ２の焦点を反射膜によって反射させてから目標マーク位置に照射するようにしても良い。
【０２６０】
さらに上述した実施の形態においては、第１の光としてレーザダイオード３１から出射された赤色光ビームＬｒを用い、第２の光としてレーザダイオード５１から出射された青色光ビームＬｂ１を用いるようにした場合について述べたが、本発明はこれに限らず、第１及び第２の光として同一の光源から出射される光ビームを用いるようにしても良い。
【０２６１】
さらに上述した実施の形態においては、（９）式のように、可動レンズ６１の変位量Δが青色光焦点Ｆｂ１の移動量δと比例関係を有するようにした場合について述べたが、本発明はこれに限らず、例えばテーブル形式や、所定の関数により表されるような所定の対応関係を有していれば、その対応関係に応じて可動レンズ６１を適切に変位させることが可能である。
【０２６２】
さらに上述した実施の形態においては、光ディスク１００が装填される度に基準位置が設定されるようにした場合について述べたが、本発明はこれに限らず、例えば光ディスク１００が有する識別子によって光ディスク１００を識別すると共に、設定された基準位置を当該光ディスク１００に対応付けて記憶するようにし、以前装填されたことのある光ディスク１００が再び装填された場合には、この光ディスク１００に対応する基準位置を用いて記録処理又は再生処理を実行するようにしても良い。
【０２６３】
これにより光ディスク装置２０は、以前装填されたことのある光ディスク１００に対しては、個々の光ディスク１００に応じた適切な基準位置を設定することができると共に、光ディスク１００が装填されてから再生処理又は記録処理を開始するまでの起動時間を短縮することができる。
【０２６４】
さらに上述した実施の形態においては、焦点移動部として、リレーレンズ６０の可動レンズ６１を変位させることにより、光ディスク１００内における青色光焦点Ｆｂ１の深さｄ１（すなわち反射透過膜１０４からの距離）を調整するようにした場合について述べたが、本発明はこれに限らず、例えば単一の集光レンズを移動させることにより深さｄ１を変更するなど、他の手法により当該青色光焦点Ｆｂ１の深さｄ１を変更するようにしても良い。
【０２６５】
さらに上述した実施の形態においては、赤色光ビームＬｒ１と青色光ビームＬｂ１との光軸を一致させるようにした場合について述べたが、本発明はこれに限らず、例えば赤色光ビームＬｒ１と青色光ビームＬｂ１との光軸を所定角度傾け、光ディスク１００の案内面１００Ａ又は記録光照射面１００Ｂから見て目標トラックと目標マーク位置とを意図的に一致させない（すなわちオフセットを設ける）ようにしても良い。
【０２６６】
さらに上述した実施の形態においては、案内面位置制御光学系３０（図７）において、非点収差法によりフォーカスエラー信号を生成するようにした場合について述べたが、本発明はこれに限らず、例えばナイフエッジ法やフーコー法等の他の手法によってフォーカスエラー信号を生成するようにしても良い。記録光照射面光学系５０におけるフォーカスエラー信号の生成についても同様である。
【０２６７】
また当該案内面位置制御光学系３０におけるトラッキングエラー信号の生成についても、プッシュプル法に限らず、３ビーム法や差動プッシュプル法等の他の手法により当該トラッキングエラー信号を生成するようにしても良い。
【０２６８】
さらに上述した実施の形態においては、光ディスク１００において反射透過膜１０４を記録層１０１と基板１０２との間に設けるようにした場合について述べたが、本発明はこれに限らず、例えば当該反射透過膜１０４を記録層１０１と基板１０３との間や、基板１０２の内部又は記録層１０１の内部等のような他の箇所に設けるようにしても良い。
【０２６９】
さらに上述した実施の形態においては、対物レンズ３８の位置制御を行うための光ビーム（これを位置制御光ビームと呼ぶ）を波長約６６０［ｎｍ］の赤色光ビームとし、記録マークＲＭを形成するための光ビーム（これを記録光ビームと呼ぶ）を波長約４０５［ｎｍ］の青色光ビームとするようにした場合について述べたが、本発明はこれに限らず、位置制御光ビーム及び記録光ビームをそれぞれ任意の波長としても良い。
【０２７０】
この場合、反射透過膜１０４としては、位置制御光ビームをその波長に応じて反射し、記録光ビームをその波長に応じて透過する性質を有していればよい。また記録層１０１は、記録光ビームの波長に反応する材料であれば良い。
【０２７１】
さらに上述した実施の形態においては、青色光透過領域１０４Ａが波長選択性を有することにより、波長約６６０［ｎｍ］でなる位置制御光ビームを反射すると共に波長約４０５［ｎｍ］でなる記録光ビームを透過するようにした場合について述べたが、本発明はこれに限らず、例えば青色光透過領域１０４Ａが偏光選択性を有するようにし、位置制御光ビームとしての赤色光ビームＬｒ１の偏光方向と記録光ビームとしての青色光ビームＬｂ１の偏光方向とを相違させることにより、位置制御光ビームを反射し記録光ビームを透過するようにしても良い。
【０２７２】
さらに上述した実施の形態においては、光ディスク１００の直径を約１２０［ｍｍ］、記録層１０１の厚さｔ１を約０．３［ｍｍ］、基板１０２及び１０３の厚さｔ２及びｔ３を約０．６［ｍｍ］とするようにした場合について述べたが、本発明はこれに限らず、それぞれ他の値であっても良い。この場合、記録層１０１並びに基板１０２及び１０３の厚さと各材料の屈折率等を考慮した上で、青色光ビームＬｂ１及びＬｂ２の焦点が目標マーク位置に合わされるよう、各光学部品の光学特性や配置等が設定されていれば良い。
【０２７３】
さらに上述した実施の形態においては、青色光ビームＬｂ１と同一のレーザダイオード５１から出射された第３の光である青色光ビームＬｂ２を、青色光ビームＬｂ１の反対側から、かつ青色光ビームＬｂ１と焦点が合致するように、対物レンズ３８とは異なる対物レンズ７９を介して光ディスク１００に照射することにより、定材波を微小ホログラムとして光ディスク１００に記録するようにした場合について述べたが、本発明はこれに限らず、例えば青色光ビームＬｂ１のみによって単なる記録マークを記録するようにしても良い。
【０２７４】
さらに上述した実施の形態においては、対物レンズ駆動部としての駆動制御部２２と、焦点移動部としての可動部６１と、焦点移動制御部としての制御部２１とによって光ディスク装置としての光ディスク装置２０を構成する場合について述べたが、本発明はこれに限らず、その他種々の回路構成でなる対物レンズ駆動部と、焦点移動部と、焦点移動制御部とによって本発明の光ディスク装置を構成するようにしても良い。
【産業上の利用可能性】
【０２７５】
本発明は、記録媒体としての光ディスクに音楽コンテンツや映像コンテンツ或いは各種データ等を大量に記録する光ディスク装置において利用することができる。
【図面の簡単な説明】
【０２７６】
【図１】従来の定在波記録型光ディスク装置の構成を示す略線図である。
【図２】ホログラムの形成の様子を示す略線図である。
【図３】本発明の一実施形態による光ディスクの構成を示す略線図である。
【図４】本発明の一実施形態による光ディスク装置の構成を示す略線図である。
【図５】光ピックアップの外観構成を示す略線図である。
【図６】光ピックアップの構成を示す略線図である。
【図７】赤色光ビームの光路を示す略線図である。
【図８】フォトディテクタにおける検出領域の構成（１）を示す略線図である。
【図９】青色光ビームの光路（１）を示す略線図である。
【図１０】青色光ビームの光路（２）を示す略線図である。
【図１１】フォトディテクタにおける検出領域の構成（２）を示す略線図である。
【図１２】光ディスクにおける反射透過膜を示す略線図である。
【図１３】フォトディテクタにおける検出領域の構成（３）を示す略線図である。
【図１４】フォトディテクタにおけるスポットの形状を示す略線図である。
【図１５】ゼロクロス点の検出の説明に供する略線図である。
【図１６】赤色光焦点と青色光焦点との関係を示す略線図である。
【図１７】青色光焦点の深さの調整処理手順の説明に供するフローチャートである。
【図１８】他の実施の形態による反射透過膜（１）を示す略線図である。
【図１９】他の実施の形態による反射透過膜（２）を示す略線図である。
【符号の説明】
【０２７７】
２０……光ディスク装置、２１……制御部、２２……駆動制御部、２３……信号処理部、２６……光ピックアップ、３０……案内面位置制御光学系、３１、５１……レーザダイオード、３７、５５、５８、７２……偏光ビームスプリッタ、３８、７９……対物レンズ、３８Ａ、７９Ａ……アクチュエータ、４３、６４、８２……フォトディテクタ、５０……案内面情報光学系、５６……１／４波長板、５７……可動ミラー、６０、７５……リレーレンズ、６１、７６……可動レンズ、７０……記録光照射面光学系、７１……シャッタ、７８……ガルバノミラー、１００……光ディスク、１０１……記録層、１０２、１０３……基板、１０４……反射透過膜、１０４Ｂ……青色光反射領域、１０４Ｃ……青色光反射透過領域、Ｌｒ１……赤色光ビーム、Ｌｒ２……赤色反射光ビーム、Ｌｂ０、Ｌｂ１、Ｌｂ２……青色光ビーム、Ｌｂ３……青色再生光ビーム、Ｌｂ１０……青色反射光ビーム、Ｆｒ……赤色光焦点、Ｆｂ１、Ｆｂ２……青色光焦点、ＲＭ……記録マーク。
【図１】
2008097702.tif 000012
【図２】
2008097702.tif 000013
【図３】
2008097702.tif 000014
【図４】
2008097702.tif 000015
【図５】
2008097702.tif 000016
【図６】
2008097702.tif 000017
【図７】
2008097702.tif 000018
【図８】
2008097702.tif 000019
【図９】
2008097702.tif 000020
【図１０】
2008097702.tif 000021
【図１１】
2008097702.tif 000022
【図１２】
2008097702.tif 000023
【図１３】
2008097702.tif 000024
【図１４】
2008097702.tif 000025
【図１５】
2008097702.tif 000026
【図１６】
2008097702.tif 000027
【図１７】
2008097702.tif 000028
【図１８】
2008097702.tif 000029
【図１９】
2008097702.tif 000030
【手続補正書】
【提出日】平成19年10月25日(2007.10.25)
【手続補正１】
【補正対象書類名】明細書
【補正対象項目名】００５３
【補正方法】変更
【補正の内容】
【００５３】
また記録マークＲＭの高さＲＭｈに関しては、記録層１０１の屈折率をｎとすると、次に示す（２）式により求められる。
【手続補正２】
【補正対象書類名】明細書
【補正対象項目名】０２０６
【補正方法】変更
【補正の内容】
【０２０６】
このため光ディスク装置２０は、この赤色光ビームＬｒ１を反射透過膜１０４に合焦させた状態で、反射透過膜１０４から目標マーク位置までの深さを表す目標深さだけ反射透過膜１０４から青色光焦点Ｆｂ１を移動させるように、青色光ビームＬｂ１が反射透過膜１０４に合焦する位置を基準にして可動レンズ６１を駆動すれば、青色光焦点Ｆｂ１の深さｄ１を目標深さに移動させることができることになる。